(57)【要約】【課題】個別生体の将来の健康情報を、高精度かつ高信頼性で予測可能な健康情報予測システムを提供する。【解決手段】本発明のシステム１は、前記個別生体に関連する個別生体情報を入力する入力手段２と、前記個別生体と同種の生体に関連する生体情報と健康状態情報とが関連付けられた健康情報データが蓄積されている健康情報データベースと、前記健康情報データベースにおいて、前記入力手段により入力された前記個別生体情報と関連する健康状態情報を選択し、かつ前記選択した健康状態情報に基づき前記個別生体の将来の健康状態予測情報を生成する個別健康状態予測情報生成手段３と、前記個別健康状態予測情報を出力２する健康状態予測情報出力手段を有する健康状態予測システム１である。【選択図】図１
2008257293.tif 000002
【特許請求の範囲】
【請求項１】
個別生体の将来の健康状態を予測する健康状態予測システムであって、
前記個別生体に関連する個別生体情報を入力する入力手段と、
前記個別生体と同種の生体に関連する生体情報と健康状態情報とが関連付けられた健康情報データが蓄積されている健康情報データベースと、
前記健康情報データベースにおいて、前記入力手段により入力された前記個別生体情報と関連する健康状態情報を選択し、かつ前記選択した健康状態情報に基づき前記個別生体の将来の健康状態予測情報を生成する個別健康状態予測情報生成手段と、
前記個別健康状態予測情報を出力する健康状態予測情報出力手段を有する
健康状態予測システム。
【請求項２】
前記健康情報データベースが、前記個別生体と同種の複数の生体から得られた生体情報と健康状態情報とが関連付けられた集団健康情報データが蓄積された集団健康情報データベースである請求項１記載の健康状態予測システム。
【請求項３】
さらに、前記個別生体に関する個別健康状態情報を入力する個別健康状態情報入力手段を有し、
前記入力された個別健康状態情報に基づき前記健康情報データベースの前記健康情報データを更新する健康情報データ更新手段とを有する請求項１または２記載の健康状態予測システム。
【請求項４】
さらに、個別生体の健康情報データを蓄積する個別健康情報データベースと、
前記個別生体に関する個別健康状態情報を入力する個別健康状態情報入力手段と、
入力された個別健康状態情報と前記個別生体情報とを関連付けた個別健康情報データを生成する個別健康情報データ生成手段と、
前記個別健康情報データを前記個別健康情報データベースに蓄積する個別健康情報データ蓄積手段とを有し、
前記個別健康状態予測情報生成手段は、前記健康情報データベースおよび前記個別健康情報データベースの少なくとも一方において、前記入力手段により入力された前記個別生体情報と関連する健康状態情報を選択し、かつ前記選択した健康状態情報に基づき前記個別生体の将来の健康状態予測情報を生成する
請求項１から３のいずれか一項に記載の健康状態予測システム。
【請求項５】
前記健康情報データベースおよび前記個別健康情報データベースの少なくとも一方において、前記健康情報データおよび前記個別健康情報データの少なくとも一方の一部または全部が、時系列的に蓄積されている請求項１から４のいずれか一項に記載の健康状態予測システム。
【請求項６】
前記個別健康状態予測情報生成手段において、前記生成される健康状態予測情報が、前記個別生体情報が入力された時点から一定期間の将来にわたり、前記個別生体の情報の入力された時点の状態が継続されたと仮定し、前記仮定および前記選択した健康状態情報に基づき前記個別生体の将来の健康状態予測情報を生成する
請求項１から５のいずれか一項に記載の健康状態予測システム。
【請求項７】
前記個別生体情報が、コード化されたコード情報であり、前記個別生体情報入力手段が、前記コード情報を読取可能である請求項１から６のいずれか一項に記載の健康状態予測システム。
【請求項８】
前記健康情報データおよび前記個別健康情報データを解析し、前記解析結果から、新規健康情報データを生成する新規データ生成手段を含む請求項１から７のいずれか一項に記載の健康状態予測システム。
【請求項９】
前記個別生体が個人であり、前記個別生体情報が摂食暦であり、前記健康状態情報が、疾病情報であり、前記個別健康状態情報が前記個人の疾病情報であり、前記健康状態予測情報が、前記個人の疾病予測情報である請求項１から８のいずれか一項に記載の健康状態予測システム。
【請求項１０】
前記健康情報データおよび前記個別健康情報データが、前記摂食暦および前記疾病情報の統計データを含み、前記個人の疾病予測情報が、前記統計データからの疾病発症確率データおよび疾病程度の少なくとも一方を含む請求項９記載の健康状態予測システム。
【請求項１１】
個人の健康状態を維持または向上させるための飲食物およびサプリメントの少なくとも一方を含む推奨メニューを提供することで前記個人の健康管理を支援する健康管理支援システムであって、請求項９または１０の健康状態予測システムを含み、さらに、前記健康状態予測システムから出力された前記個人の疾病予測情報を基に推奨メニューを生成する推奨メニュー生成手段と、前記推奨メニューを表示する推奨メニュー表示手段とを含む健康管理支援システム。
【請求項１２】
個別生体の将来の健康状態を予測するネットワーク健康状態予測システムであって、
端末と、サーバーとを有し、
前記端末およびサーバーは、システム外の通信網を介して接続可能であり、
前記端末は、
前記個別生体に関連する個別生体情報を入力する入力手段と、
前記端末内の情報を前記通信網を介して前記サーバーに送信する端末側送信手段と、
前記サーバーから送信された情報を前記通信網を介して受信する端末側受信手段と、
前記端末内の情報を表示する表示手段と
を有し、
前記サーバーは、
前記サーバー内の情報を前記通信網を介して前記端末に送信するサーバー側送信手段と、
前記端末から送信された情報を前記通信網を介して受信するサーバー側受信手段と
前記個別生体と同種の生体に関連する生体情報と健康状態情報とが関連付けられた健康情報データが蓄積されている健康情報データベースと、
前記健康情報データベースにおいて前記サーバー側受信手段により受信した前記個別生体情報と関連する健康状態情報を選択し、かつ前記選択した健康状態情報に基づき前記個別生体の将来の健康状態予測情報を生成する個別健康状態予測情報生成手段と、
を有し、
少なくとも前記個別生体情報が、前記端末側送信手段から前記サーバー側受信手段に送信され、かつ前記個別健康状態予測情報が、前記サーバー側送信手段から前記端末側受信手段に送信され、前記端末において、受信した前記個別健康状態予測情報が、前記表示手段によって表示される
ネットワーク健康状態予測システム。
【請求項１３】
前記健康情報データベースが、前記個別生体と同種の複数の生体から得られた生体情報と健康状態情報とを関連付けられた集団健康情報データが蓄積された集団健康情報データベースである請求項１２記載のネットワーク健康状態予測システム。
【請求項１４】
前記端末が、さらに、
前記個別生体に関する個別健康状態情報を入力する個別健康状態情報入力手段を有し、
前記端末は、前記入力された個別健康状態情報データを前記端末側送信手段により、前記サーバーに送信し、
前記サーバーは、さらに、
健康情報データ更新手段を有し、
前記サーバーは、前記サーバー側受信手段により前記個別健康状態情報を受信し、
前記受信した個別健康状態情報に基づき前記健康情報データベースの前記健康情報データを更新する請求項１２または１３記載のネットワーク健康状態予測システム。
【請求項１５】
前記端末は、さらに、
前記個別生体に関する個別健康状態情報を入力する個別健康状態情報入力手段を有し、
前記端末は、前記入力された個別健康状態情報データを前記端末側送信手段により、前記サーバーに送信し、
前記サーバーは、さらに、
個別生体の健康情報データが蓄積された個別健康情報データベースと、
個別健康情報データ生成手段と、
個別健康情報データ蓄積手段とを有し、
前記個別健康情報データ生成手段は、前記サーバー側受信手段で受信した前記個別生体情報と前記健康状態情報とを関連付けた個別健康情報データを生成し、
前記個別健康情報データ蓄積手段は、前記個別健康情報データを前記個別健康情報データベースに蓄積し、
前記個別健康状態予測情報生成手段は、前記健康情報データベースおよび前記個別健康情報データベースの少なくとも一方において、前記受信した前記個別生体情報と関連する健康状態情報を選択し、かつ前記選択した健康状態情報に基づき前記個別生体の将来の健康状態予測情報を生成する
請求項１２から１４のいずれか一項に記載のネットワーク健康状態予測システム。
【請求項１６】
前記健康情報データベースおよび前記個別健康情報データベースの少なくとも一方において、前記健康情報データおよび前記個別健康情報データの少なくとも一方が、時系列的に蓄積されている請求項１２から１５のいずれか一項に記載のネットワーク健康状態予測システム。
【請求項１７】
前記個別健康状態予測情報生成手段において、前記生成される健康状態予測情報が、前記個別生体情報が入力された時点から一定期間の将来にわたり、前記個別生体の情報の入力された時点の状態が継続されたと仮定し、前記仮定および前記選択した生体情報に基づき前記個別生体の将来の健康状態予測情報を生成する
請求項１２から１６のいずれか一項に記載のネットワーク健康状態予測システム。
【請求項１８】
前記個別生体情報が、コード化されたコード情報であり、前記個別生体情報入力手段が、前記コード情報を読取可能である請求項１２から１７のいずれか一項に記載のネットワーク健康状態予測システム。
【請求項１９】
前記健康情報データおよび前記個別健康情報データを解析し、前記解析結果から、新規健康情報データを生成する新規データ生成手段を含む請求項１２から１８のいずれか一項に記載のネットワーク健康状態予測システム。
【請求項２０】
前記個別生体が個人であり、前記個別生体情報が摂食暦であり、前記健康状態情報が、疾病情報であり、前記個別健康情報が前記個人の疾病情報であり、前記健康状態予測情報が、前記個人の疾病予測情報である請求項１２から１９のいずれか一項に記載のネットワーク健康状態予測システム。
【請求項２１】
前記健康情報データおよび前記個別健康情報データが、前記摂食暦および前記疾病情報の統計データを含み、前記個人の疾病予測情報が、前記統計データからの疾病発症確率データおよび疾病程度の少なくとも一方を含む請求項２０記載のネットワーク健康状態予測システム。
【請求項２２】
個人の健康状態を維持または向上させるための飲食物およびサプリメントの少なくとも一方を含む推奨メニューを提供することで前記個人の健康管理を支援するネットワーク健康管理支援システムであって、請求項２０または２１のネットワーク健康状態予測システムを含み、
前記サーバーが、さらに、
前記ネットワーク健康状態予測システムから出力された前記個人の疾病予測情報を基に推奨メニューを生成する推奨メニュー生成手段と、
前記推奨メニューを表示する推奨メニュー表示手段とを含む
ネットワーク健康管理支援システム。
【請求項２３】
請求項１２、１３および１６〜１９のいずれか一項に記載のネットワーク健康状態予測システムに用いるサーバーであって、
前記サーバーは、
前記サーバー内の情報を前記通信網を介して前記端末に送信するサーバー側送信手段と、
前記端末から送信された情報を前記通信回線を介して受信するサーバー側受信手段と
前記個別生体と同種の生体に関連する生体情報と健康状態情報とが関連付けられた健康情報データが蓄積されている健康情報データベースと、
前記健康情報データベースにおいて前記サーバー側受信手段により受信した前記個別生体情報と関連する健康状態情報を選択し、かつ前記選択した健康状態情報に基づき前記個別生体の将来の健康状態予測情報を生成する個別健康状態予測情報生成手段と、
を有し、
少なくとも前記個別生体情報が、前記端末側送信手段から前記サーバー側受信手段に送信され、かつ前記個別健康状態予測情報が、前記サーバー側送信手段から前記端末側受信手段に送信され、前記端末において、受信した前記個別健康状態予測情報が、前記表示手段によって表示される
ネットワーク健康状態予測システム用サーバー。
【請求項２４】
前記ネットワーク健康状態予測システムが請求項１４記載のネットワーク健康状態予測システムであり、
前記サーバーは、さらに、
健康情報データ更新手段を有し、
前記サーバーは、前記サーバー側受信手段により前記個別健康状態情報を受信し、
前記受信した個別健康状態情報に基づき前記健康情報データベースの前記健康情報データを更新する請求項２３記載のネットワーク健康状態予測システム用サーバー。
【請求項２５】
前記ネットワーク健康状態予測システムが請求項１５記載のネットワーク健康状態予測システムであり、
前記サーバーは、さらに、
個別生体の個別健康状態情報を蓄積する個別健康情報データベースと、
個別健康情報データ生成手段と、
個別健康情報データ蓄積手段とを有し、
前記個別健康情報データ生成手段は、前記サーバー側受信手段で受信した前記個別生体情報と前記個別健康状態情報とを関連付けた個別健康情報データを生成し、
前記個別健康データ蓄積手段は、前記個別健康情報データを前記個別健康情報データベースに蓄積し、
前記個別健康状態予測情報生成手段は、前記健康情報データベースおよび前記個別健康情報データベースの少なくとも一方において、前記サーバー側受信手段で受信した前記個別生体情報と関連する健康状態情報を選択し、かつ前記選択した健康状態情報に基づき前記個別生体の将来の健康状態予測情報を生成する
請求項２３または２４記載のネットワーク健康状態予測システム用サーバー。
【請求項２６】
前記健康情報データおよび前記個別健康情報データを解析し、前記解析結果から、新規健康情報データを生成する新規データ生成手段を含む請求項２３から２５のいずれか一項に記載のネットワーク健康状態予測システム用サーバー。
【請求項２７】
個人の健康状態を維持または向上させるための飲食物およびサプリメントの少なくとも一方を含む推奨メニューを提供することで前記個人の健康管理を支援するネットワーク健康管理支援システムに使用するサーバーであって、前記サーバーは、請求項２０または２１のネットワーク健康状態予測システムのサーバーを含み、
前記サーバーが、さらに、
前記健康状態予測システムから出力された前記個人の疾病予測情報を基に推奨メニューを生成する推奨メニュー生成手段とを含む、
ネットワーク健康管理支援システム用サーバー。
【請求項２８】
請求項１２、１３および１６から２０のいずれか一項に記載のネットワーク健康状態予測システムに用いる端末であって、
前記端末は、
前記個別生体に関連する個別生体情報を入力する入力手段と、
前記端末内の情報を前記通信回線を介して前記サーバーに送信する端末側送信手段と、
前記サーバーから送信された情報を前記通信回線を介して受信する端末側受信手段と、
前記端末内の情報を表示する表示手段と
を有し、
少なくとも前記個別生体情報が、前記端末側送信手段から前記サーバー側受信手段に送信され、かつ前記個別健康状態予測情報が、前記サーバー側送信手段から前記端末側受信手段に送信され、前記端末において、受信した前記個別健康状態予測情報が、前記表示手段によって表示される
ネットワーク健康状態予測システム用端末。
【請求項２９】
前記端末が、さらに、
前記個別生体に関する個別健康状態情報を入力する個別健康状態情報入力手段を有し、
前記端末は、前記入力された個別健康状態情報データを前記端末側送信手段により、前記サーバーに送信する請求項２８記載のネットワーク健康状態予測システム用端末。
【請求項３０】
個人の健康状態を維持または向上させるための飲食物およびサプリメントの少なくとも一方を含む推奨メニューを提供することで前記個人の健康管理を支援する健康管理支援システムに使用する端末であって、前記端末は請求項１９または２０のネットワーク健康状態予測システムの端末を含み、
前記端末が、さらに、
前記推奨メニューを表示する表示手段を含む、
健康管理支援システム用端末。
【請求項３１】
個別生体の将来の健康状態を予測する健康状態予測装置であって、請求項１から９のいずれか一項に記載の健康状態予測システムを含む健康状態予測装置。
【請求項３２】
個人の健康状態を維持または向上させるための飲食物メニューを提供することで前記個人の健康管理を支援する健康管理支援装置であって、請求項１０の健康管理支援システムを含む健康管理支援装置。
【請求項３３】
個別生体の将来の健康状態を予測する健康状態予測方法であって、
前記個別生体に関連する個別生体情報を入力する入力ステップと、
前記個別生体と同種の生体に関連する生体情報と健康状態情報とが関連付けられた健康情報データが蓄積されている健康情報データベースを用い、前記入力された前記個別生体情報と関連する健康状態情報を選択し、かつ前記選択した健康状態情報に基づき前記個別生体の将来の健康状態予測情報を生成する個別健康状態予測情報生成ステップと、
前記個別健康状態予測情報を出力する健康状態予測情報出力ステップを有する
健康状態予測方法。
【請求項３４】
前記健康情報データベースが、前記個別生体と同種の複数の生体から得られた生体情報と健康状態情報とを関連付けられた集団健康情報データが蓄積された集団健康情報データベースである請求項３３記載の健康状態予測方法。
【請求項３５】
さらに、前記個別生体に関する個別健康状態情報を入力する個別健康状態情報入力ステップと、
前記入力された個別健康状態情報に基づき前記健康情報データベースの前記健康情報データを更新する健康情報データ更新ステップを有する請求項３３または３４記載の健康状態予測方法。
【請求項３６】
さらに、個別生体の健康情報データを蓄積する個別健康情報データベースを用い、
前記個別生体に関する個別健康状態情報を入力する個別健康状態情報入力ステップと、
入力された個別健康状態情報と前記個別生体情報とを関連付けた個別健康情報データを生成する個別健康情報データ生成ステップと、
前記個別健康情報データを前記個別健康情報データベースに蓄積する個別健康情報データ蓄積ステップとを有し、
前記個別健康状態予測情報生成ステップは、前記健康情報データベースおよび前記個別健康情報データベースの少なくとも一方において、前記入力手段により入力された前記個別生体情報と関連する健康状態情報を選択し、かつ前記選択した健康状態情報に基づき前記個別生体の将来の健康状態予測情報を生成する
請求項３３から３５のいずれか一項に記載の健康状態予測方法。
【請求項３７】
前記健康情報データベースおよび前記個別健康情報データベースの少なくとも一方において、前記生体情報データおよび前記個別生体情報データの少なくとも一方の一部または全部が、時系列的に蓄積されている請求項３３から３６のいずれか一項に記載の健康状態予測方法。
【請求項３８】
前記個別健康状態予測情報生成ステップにおいて、前記生成される健康状態予測情報が、前記個別生体情報が入力された時点から一定期間の将来にわたり、前記個別生体の情報の入力された時点の状態が継続されたと仮定し、前記仮定および前記選択した健康状態情報に基づき前記個別生体の将来の健康状態予測情報を生成する
請求項３３から３７のいずれか一項に記載の健康状態予測方法。
【請求項３９】
前記個別生体情報が、コード化されたコード情報であり、前記個別生体情報入力ステップにおいて、前記コード情報を読取る請求項３３から３８のいずれか一項に記載の健康状態予測方法。
【請求項４０】
前記健康情報データおよび前記個別健康情報データを解析し、前記解析結果から、新規健康情報データを生成する新規データ生成ステップを含む請求項３３から３９のいずれか一項に記載の健康状態予測方法。
【請求項４１】
前記個別生体が個人であり、前記個別生体情報が摂食暦であり、前記健康状態情報が、疾病情報であり、前記個別健康状態情報が前記個人の疾病情報であり、前記健康状態予測情報が、前記個人の疾病予測情報である請求項３３から４０のいずれか一項に記載の健康状態予測方法。
【請求項４２】
前記健康情報データおよび前記個別健康情報データが、前記摂食暦および前記疾病情報の統計データを含み、前記個人の疾病予測情報が、前記統計データからの疾病発症確率データおよび疾病程度の少なくとも一方を含む請求項４１記載の健康状態予測方法。
【請求項４３】
個人の健康状態を維持または向上させるための飲食物およびサプリメントの少なくとも一方を含む推奨メニューを提供することで前記個人の健康管理を支援する健康管理支援方法であって、請求項４１または４２の健康状態予測方法を含み、さらに、前記健康状態予測方法により出力された前記個人の疾病予測情報を基に推奨メニューを生成する推奨メニュー生成ステップと、前記推奨メニューを表示する推奨メニュー表示ステップとを含む健康管理支援方法。
【請求項４４】
請求項３３から４２のいずれか一項に記載の方法をコンピュータ上で実行可能なコンピュータプログラム。
【請求項４５】
請求項４３に記載の方法をコンピュータ上で実行可能なコンピュータプログラム。
【請求項４６】
請求項４４記載のコンピュータプログラムを格納した記録媒体。
【請求項４７】
請求項４５記載のコンピュータプログラムを格納した記録媒体。
【発明の詳細な説明】
【技術分野】
【０００１】
本発明は、健康状態予測システム、健康状態予測システム用サーバー、健康状態予測システム用端末、健康状態予測方法、健康状態予測プログラム、健康状態予測プログラム記録媒体、健康管理支援システム、健康管理支援システム用サーバー、健康管理支援システム用端末、健康管理支援方法、健康管理支援プログラムおよび健康管理支援プログラム記録媒体に関する。
【背景技術】
【０００２】
従来から、コンピュータを使用したユーザーの健康管理を支援するシステムが提案されている。例えば、食事内容を含む個人のライフスタイルデータとバイタルデータとの分析結果から、疾患リスクを予測し、その防止として、適正運動メニューおよび適正食事メニューを提示する健康管理システムが提案されている（特許文献１）。また、定期健診データや問診データから生活習慣改善の目標値を算出し、毎日の食生活データや運動データから、前記目標値に到達するための生活習慣改善メニューを作成する健康指導システムが提案されている（特許文献２）。これらのシステムでは、疾患リスクを予想したり、生活改善の目標値を算出したりしているが、その根拠としているのは、例えば、厚生労働省や世界保健機構（ＷＨＯ）等の公的機関が公表している食品の一般的な摂取基準量である。例えば、日本の厚生労働省は、「日本人の食事摂取基準２００５年版」を公表している（非特許文献１）。前記食事摂取基準には、高血圧の予防を目的としたカリウムの食事摂取基準が、掲載されており、男女別に、生活習慣病予防の観点からみた望ましい摂取量および目標量が記載されている。これによれば、例えば、３０〜４９歳の男性のカリウムの目標摂取量は、２９００ｍｇ／日であり、生活習慣予防（高血圧）の観点からみた望ましい摂取量は、３５００ｍｇ／日である。前記摂取基準において、生活習慣病予防の観点からみた望ましい摂取量については、「米国高血圧合同委員会第６次報告が、高血圧の予防のために、３５００ｍｇ／日を摂ることが望ましいとしている値。高血圧の一次予防を積極的に進める観点からは、この値が支持される。」としている。カリウムの摂取量と高血圧との関係を例にとれば、前述のシステムでは、例えば、前記食事摂取基準の３５００ｍｇを判断基準とし、ユーザーの一日の食事内容から、一日のカリウム摂取量を算出し、ユーザーが４０代男性であれば、前述のカリウム摂取基準を基に、カリウムが不足していれば、高血圧のリスクありと判定し、カリウムの多い食事メニューを作成し推奨する。しかしながら、これらのシステムで採用している基準は、ある集団の統計的調査もしくは経験的な知識から得られたものであるため、その基準が、ユーザーに最適であるとはいえず、その結果、その予測情報は精度が高いものとはいえず、信頼性も高くない。これらのシステムの問題は、食事と疾病との関係に限らず、食事を含む生体情報と疾病リスクを含む健康状態情報という上位概念的な関係においても問題である。
【特許文献１】特開平１１−０４７０９６号公報
【特許文献２】特開平０７−１７５４０４号公報
【非特許文献１】２００５年版「日本人の食事摂取基準」（日本厚生労働省）
【発明の開示】
【発明が解決しようとする課題】
【０００３】
そこで、本発明は、ユーザーの健康状態を高い精度および高い信頼性で予測可能な健康状態予測システムの提供を目的とする。
【課題を解決するための手段】
【０００４】
本発明のシステムは、個別生体の将来の健康状態を予測する健康状態予測システムであって、
前記個別生体に関連する個別生体情報を入力する入力手段と、
前記個別生体と同種の生体に関連する生体情報と健康状態情報とが関連付けられた健康情報データが蓄積されている健康情報データベースと、
前記健康情報データベースにおいて、前記入力手段により入力された前記個別生体情報と関連する健康状態情報を選択し、かつ前記選択した健康状態情報に基づき前記個別生体の将来の健康状態予測情報を生成する個別健康状態予測情報生成手段と、
前記個別健康状態予測情報を出力する健康状態予測情報出力手段を有する
健康状態予測システムである。
【発明の効果】
【０００５】
本発明のシステムでは、個別生体の将来の健康状態をするために、前記個別生体と同種の生体に関連する生体情報と健康状態情報とが関連付けられた健康情報データが蓄積されている健康情報データベースを用いる点が特徴の一つである。すなわち、従来のシステムでは、公的機関等が公表している基準を基に、疾病リスク等を予測しており、データベースを用いて予測するものは無かった。また、言うまでもないが、先に示した食事摂取基準等は、その名が示すとおり、あくまでも「基準」であってデータベースではない。本発明のシステムでは、前記健康情報データベースにおいて、入力された前記個別生体情報と関連する健康状態情報を選択し、かつ前記選択した健康状態情報に基づき前記個別生体の将来の健康状態予測情報を生成する。これにより、個別生体に最も適した健康状態情報を選択することが可能となり、この最適な健康状態情報を基にして将来の健康状態を予測するため、予測情報の精度が高く、かつ信頼性も高い。さらに、本発明のシステムでは、個別生体情報等の入力が、すなわちデータの収集に該当し、これにより、疫学的な調査を大規模レベルで継続的に実施することができるという、画期的なシステムであるといえる。すなわち、従来の疫学調査では、大規模な調査であっても数千人が限度であり、かつ調査年数も数年から数十年かかる。そして、調査が終了すれば、疫学的調査の結果は固定され、更新されることはない。しかしながら、本発明のシステムでは、個別生体情報等の新たな情報が継続的に入力可能であり、本発明のシステムを、例えば、ネットワークを介したサーバーと端末等を用いて実施すれば、従来の疫学調査をはるかに超えた大規模調査（例えば、全国民レベルの調査）が可能であり、しかも情報の入力を継続的に実施可能であるため、調査を継続しながら随時結果を更新可能である。さらに、新たな情報を基に、健康情報データ等を解析すれば、新たな医学上の発見ができる可能性がある。したがって、本発明のシステムは、人類の健康に多大な貢献が可能であるといえ、そのメリットは計り知れない。
【発明を実施するための最良の形態】
【０００６】
本発明のシステムにおいて、前記健康情報データベースが、前記個別生体と同種の複数の生体から得られた生体情報と健康状態情報とが関連付けられた集団健康情報データが蓄積された集団健康情報データベースであるという形態であってもよい。前記集団健康情報データベースを用いれば、さらに、高精度かつ高信頼性の予測が可能となる。
【０００７】
本発明のシステムにおいて、さらに、前記個別生体に関する個別健康状態情報を入力する個別健康状態情報入力手段を有し、
前記入力された個別健康状態情報に基づき前記健康情報データベースの前記健康情報データを更新する健康情報データ更新手段とを有することが好ましい。このように、個別健康状態情報により健康情報データを更新することにより、予測対象となる個別生体に適した健康情報データベースを構築することができることとなり、さらに高精度かつ高信頼性の予測が可能となる。
【０００８】
本発明のシステムにおいて、さらに、個別生体の健康情報データを蓄積する個別健康情報データベースと、
前記個別生体に関する個別健康状態情報を入力する個別健康状態情報入力手段と、
入力された個別健康状態情報と前記個別生体情報とを関連付けた個別健康情報データを生成する個別健康情報データ生成手段と、
前記個別健康情報データを前記個別健康情報データベースに蓄積する個別健康情報データ蓄積手段とを有し、
前記個別健康状態予測情報生成手段は、前記健康情報データベースおよび前記個別健康情報データベースの少なくとも一方において、前記入力手段により入力された前記個別生体情報と関連する健康状態情報を選択し、かつ前記選択した健康状態情報に基づき前記個別生体の将来の健康状態予測情報を生成することが好ましい。このような態様によれば、予測対象に特化した個別健康情報データベースを構築することになり、さらに高精度かつ高信頼性の予測が可能となる。
【０００９】
本発明のシステムの前記健康情報データベースおよび前記個別健康情報データベースの少なくとも一方において、前記健康情報データおよび前記個別健康情報データの少なくとも一方の一部または全部が、時系列的に蓄積されていることが好ましい。前記データが時系列的に蓄積されることにより、将来の予測が容易かつ高精度になるからである。
【００１０】
本発明のシステムの前記個別健康状態予測情報生成手段において、前記生成される健康状態予測情報が、前記個別生体情報が入力された時点から一定期間の将来にわたり、前記個別生体の情報の入力された時点の状態が継続されたと仮定し、前記仮定および前記選択した健康状態情報に基づき前記個別生体の将来の健康状態予測情報を生成するという態様であってもよい。
【００１１】
本発明のシステムにおいて、前記個別生体情報は、例えば、コード化されたコード情報であり、前記個別生体情報入力手段が、前記コード情報を読取可能であるという態様であってもよい。
【００１２】
本発明のシステムにおいて、前記健康情報データおよび前記個別健康情報データを解析し、前記解析結果から、新規健康情報データを生成する新規データ生成手段を含むことが好ましい。前述のように、本発明のシステムでは、個別生体情報等の入力が、データの収集に該当し、これにより、疫学的な調査を大規模レベルで実施することができる。すなわち、予測対象の個別生体からの個別生体情報等の新たな情報が入力され、これを基に、健康情報データ等を解析すれば、新たな知見を得る可能性があり、この新たな知見を基に、修正データや追加データ等の新規データを生成することが好ましいからである。
【００１３】
本発明のシステムにおいて、前記個別生体が個人であり、前記個別生体情報が摂食暦であり、前記健康状態情報が、疾病情報であり、前記個別健康状態情報が前記個人の疾病情報であり、前記健康状態予測情報が、前記個人の疾病予測情報であるという対応であってもよい。この場合、前記健康情報データおよび前記個別健康情報データが、前記摂食暦および前記疾病情報の統計データを含み、前記個人の疾病予測情報が、前記統計データからの疾病発症確率データおよび疾病程度の少なくとも一方を含むという対応であってもよい。
【００１４】
つぎに、本発明の健康管理支援システムは、個人の健康状態を維持または向上させるための飲食物およびサプリメントの少なくとも一方を含む推奨メニューを提供することで前記個人の健康管理を支援する健康管理支援システムであって、本発明の健康状態予測システムを含み、さらに、前記健康状態予測システムから出力された前記個人の疾病予測情報を基に推奨メニューを生成する推奨メニュー生成手段と、前記推奨メニューを表示する推奨メニュー表示手段とを含む健康管理支援システムである。
【００１５】
つぎに、本発明のネットワークシステムは、個別生体の将来の健康状態を予測するネットワーク健康状態予測システムであって、
端末と、サーバーとを有し、
前記端末およびサーバーは、システム外の通信網を介して接続可能であり、
前記端末は、
前記個別生体に関連する個別生体情報を入力する入力手段と、
前記端末内の情報を前記通信網を介して前記サーバーに送信する端末側送信手段と、
前記サーバーから送信された情報を前記通信網を介して受信する端末側受信手段と、
前記端末内の情報を表示する表示手段と
を有し、
前記サーバーは、
前記サーバー内の情報を前記通信網を介して前記端末に送信するサーバー側送信手段と、
前記端末から送信された情報を前記通信網を介して受信するサーバー側受信手段と
前記個別生体と同種の生体に関連する生体情報と健康状態情報とが関連付けられた健康情報データが蓄積されている健康情報データベースと、
前記健康情報データベースにおいて前記サーバー側受信手段により受信した前記個別生体情報と関連する健康状態情報を選択し、かつ前記選択した健康状態情報に基づき前記個別生体の将来の健康状態予測情報を生成する個別健康状態予測情報生成手段と、
を有し、
少なくとも前記個別生体情報が、前記端末側送信手段から前記サーバー側受信手段に送信され、かつ前記個別健康状態予測情報が、前記サーバー側送信手段から前記端末側受信手段に送信され、前記端末において、受信した前記個別健康状態予測情報が、前記表示手段によって表示される
ネットワーク健康状態予測システムである。
【００１６】
本発明のネットワークシステムにおいて、前記健康情報データベースが、前記個別生体と同種の複数の生体から得られた生体情報と健康状態情報とを関連付けられた集団健康情報データが蓄積された集団健康情報データベースであるという態様であってもよい。
【００１７】
前述と同様の理由により、本発明のネットワークシステムにおいて、
前記端末が、さらに、
前記個別生体に関する個別健康状態情報を入力する個別健康状態情報入力手段を有し、
前記端末は、前記入力された個別健康状態情報データを前記端末側送信手段により、前記サーバーに送信し、
前記サーバーは、さらに、
健康情報データ更新手段を有し、
前記サーバーは、前記サーバー側受信手段により前記個別健康状態情報を受信し、
前記受信した個別健康状態情報に基づき前記健康情報データベースの前記健康情報データを更新するという対応が好ましい。
【００１８】
前述と同様の理由により、本発明のネットワークシステムにおいて、
前記端末は、さらに、
前記個別生体に関する個別健康状態情報を入力する個別健康状態情報入力手段を有し、
前記端末は、前記入力された個別健康状態情報データを前記端末側送信手段により、前記サーバーに送信し、
前記サーバーは、さらに、
個別生体の健康情報データが蓄積された個別健康情報データベースと、
個別健康情報データ生成手段と、
個別健康情報データ蓄積手段とを有し、
前記個別健康情報データ生成手段は、前記サーバー側受信手段で受信した前記個別生体情報と前記健康状態情報とを関連付けた個別健康情報データを生成し、
前記個別健康情報データ蓄積手段は、前記個別健康情報データを前記個別健康情報データベースに蓄積し、
前記個別健康状態予測情報生成手段は、前記健康情報データベースおよび前記個別健康情報データベースの少なくとも一方において、前記受信した前記個別生体情報と関連する健康状態情報を選択し、かつ前記選択した健康状態情報に基づき前記個別生体の将来の健康状態予測情報を生成することが好ましい。
【００１９】
前述と同様の理由により、本発明のネットワークシステムにおいて、
前記健康情報データベースおよび前記個別健康情報データベースの少なくとも一方において、前記健康情報データおよび前記個別健康情報データの少なくとも一方が、時系列的に蓄積されていることが好ましい。
【００２０】
本発明のネットワークシステムにおいて、
前記個別健康状態予測情報生成手段において、前記生成される健康状態予測情報が、前記個別生体情報が入力された時点から一定期間の将来にわたり、前記個別生体の情報の入力された時点の状態が継続されたと仮定し、前記仮定および前記選択した生体情報に基づき前記個別生体の将来の健康状態予測情報を生成するという態様であってもよい。
【００２１】
本発明のネットワークシステムにおいて、
前記個別生体情報が、コード化されたコード情報であり、前記個別生体情報入力手段が、前記コード情報を読取可能であるという態様であってもよい。
【００２２】
前述と同様の理由により、本発明のネットワークシステムにおいて、
前記健康情報データおよび前記個別健康情報データを解析し、前記解析結果から、新規健康情報データを生成する新規データ生成手段を含むことが好ましい。
【００２３】
本発明のネットワークシステムにおいて、
前記個別生体が個人であり、前記個別生体情報が摂食暦であり、前記健康状態情報が、疾病情報であり、前記個別健康情報が前記個人の疾病情報であり、前記健康状態予測情報が、前記個人の疾病予測情報であるという態様であってもよい。この場合、前記健康情報データおよび前記個別健康情報データが、前記摂食暦および前記疾病情報の統計データを含み、前記個人の疾病予測情報が、前記統計データからの疾病発症確率データおよび疾病程度の少なくとも一方を含むという態様であってもよい。
【００２４】
つぎに、本発明のネットワーク健康管理支援システムは、
個人の健康状態を維持または向上させるための飲食物およびサプリメントの少なくとも一方を含む推奨メニューを提供することで前記個人の健康管理を支援する健康管理支援システムであって、前記ネットワーク健康状態予測システムを含み、
前記サーバーが、さらに、
前記健康状態予測システムから出力された前記個人の疾病予測情報を基に推奨メニューを生成する推奨メニュー生成手段と、
前記推奨メニューを表示する推奨メニュー表示手段とを含む
ネットワーク健康管理支援システムである。
【００２５】
つぎに、本発明のサーバーは、本発明のネットワーク健康状態予測システムに用いるサーバーであって、
前記サーバーは、
前記サーバー内の情報を前記通信網を介して前記端末に送信するサーバー側送信手段と、
前記端末から送信された情報を前記通信回線を介して受信するサーバー側受信手段と
前記個別生体と同種の生体に関連する生体情報と健康状態情報とが関連付けられた健康情報データが蓄積されている健康情報データベースと、
前記健康情報データベースにおいて前記サーバー側受信手段により受信した前記個別生体情報と関連する健康状態情報を選択し、かつ前記選択した健康状態情報に基づき前記個別生体の将来の健康状態予測情報を生成する個別健康状態予測情報生成手段と、
を有し、
少なくとも前記個別生体情報が、前記端末側送信手段から前記サーバー側受信手段に送信され、かつ前記個別健康状態予測情報が、前記サーバー側送信手段から前記端末側受信手段に送信され、前記端末において、受信した前記個別健康状態予測情報が、前記表示手段によって表示される
健康状態予測システム用サーバーである。
【００２６】
前述と同様の理由により、本発明のサーバーにおいて、
前記サーバーは、さらに、
健康情報データ更新手段を有し、
前記サーバーは、前記サーバー側受信手段により前記個別健康状態情報を受信し、
前記受信した個別健康状態情報に基づき前記健康情報データベースの前記健康情報データを更新するという態様が好ましい。
【００２７】
前述と同様の理由により、本発明のサーバーにおいて、
前記サーバーは、さらに、
個別生体の個別健康状態情報を蓄積する個別健康情報データベースと、
個別健康情報データ生成手段と、
個別健康情報データ蓄積手段とを有し、
前記個別健康情報データ生成手段は、前記サーバー側受信手段で受信した前記個別生体情報と前記個別健康状態情報とを関連付けた個別健康情報データを生成し、
前記個別健康データ蓄積手段は、前記個別健康情報データを前記個別健康情報データベースに蓄積し、
前記個別健康状態予測情報生成手段は、前記健康情報データベースおよび前記個別健康情報データベースの少なくとも一方において、前記サーバー側受信手段で受信した前記個別生体情報と関連する健康状態情報を選択し、かつ前記選択した健康状態情報に基づき前記個別生体の将来の健康状態予測情報を生成するという態様が好ましい。
【００２８】
前述と同様の理由により、本発明のサーバーは、
前記健康情報データおよび前記個別健康情報データを解析し、前記解析結果から、新規健康情報データを生成する新規データ生成手段を含むことが好ましい。
【００２９】
つぎに、本発明の健康管理支援システム用サーバーは、
個人の健康状態を維持または向上させるための飲食物およびサプリメントの少なくとも一方を含む推奨メニューを提供することで前記個人の健康管理を支援する健康管理支援システムに使用するサーバーであって、前記サーバーは、本発明の健康状態予測システムのサーバーを含み、
前記サーバーが、さらに、
前記健康状態予測システムから出力された前記個人の疾病予測情報を基に推奨メニューを生成する推奨メニュー生成手段とを含む、
健康管理支援システム用サーバーである。
【００３０】
つぎに、本発明の端末は、本発明のネットワーク健康状態予測システムに用いる端末であって、
前記端末は、
前記個別生体に関連する個別生体情報を入力する入力手段と、
前記端末内の情報を前記通信回線を介して前記サーバーに送信する端末側送信手段と、
前記サーバーから送信された情報を前記通信回線を介して受信する端末側受信手段と、
前記端末内の情報を表示する表示手段と
を有し、
少なくとも前記個別生体情報が、前記端末側送信手段から前記サーバー側受信手段に送信され、かつ前記個別健康状態予測情報が、前記サーバー側送信手段から前記端末側受信手段に送信され、前記端末において、受信した前記個別健康状態予測情報が、前記表示手段によって表示される
健康状態予測システム用端末である。
【００３１】
つぎに、前記端末が、さらに、
前記個別生体に関する個別健康状態情報を入力する個別健康状態情報入力手段を有し、
前記端末は、前記入力された個別健康状態情報データを前記端末側送信手段により、前記サーバーに送信する健康状態予測システム用端末である。
【００３２】
つぎに、本発明のネットワーク健康管理支援システム用端末は、
個人の健康状態を維持または向上させるための飲食物およびサプリメントの少なくとも一方を含む推奨メニューを提供することで前記個人の健康管理を支援する健康管理支援システムに使用する端末であって、本発明のネットワーク健康状態予測システムの端末を含み、
前記端末が、さらに、
前記推奨メニューを表示する表示手段を含む、
健康管理支援システム用端末である。
【００３３】
つぎに、本発明の健康状態予測装置は、個別生体の将来の健康状態を予測する健康状態予測装置であって、本発明の健康状態予測システムを含む健康状態予測装置である。
【００３４】
つぎに、本発明の健康状態予測装置は、個人の健康状態を維持または向上させるための飲食物メニューを提供することで前記個人の健康管理を支援する健康管理支援装置であって、本発明の健康管理支援システムを含む健康管理支援装置である。
【００３５】
つぎに、本発明の健康状態予測方法は、
個別生体の将来の健康状態を予測する健康状態予測方法であって、
前記個別生体に関連する個別生体情報を入力する入力ステップと、
前記個別生体と同種の生体に関連する生体情報と健康状態情報とが関連付けられた健康情報データが蓄積されている健康情報データベースを用い、前記入力された前記個別生体情報と関連する健康状態情報を選択し、かつ前記選択した健康状態情報に基づき前記個別生体の将来の健康状態予測情報を生成する個別健康状態予測情報生成ステップと、
前記個別健康状態予測情報を出力する健康状態予測情報出力ステップを有する
健康状態予測方法である。
【００３６】
前述と同様の理由により、本発明の健康状態予測方法において、
前記健康情報データベースが、前記個別生体と同種の複数の生体から得られた生体情報と健康状態情報とを関連付けられた集団健康情報データが蓄積された集団健康情報データベースであるという態様であってもよい。
【００３７】
つぎに、本発明の健康状態予測方法において、
さらに、前記個別生体に関する個別健康状態情報を入力する個別健康状態情報入力ステップと、
前記入力された個別健康状態情報に基づき前記健康情報データベースの前記健康情報データを更新する健康情報データ更新ステップを有することが好ましい。
【００３８】
前述と同様の理由により、本発明の健康状態予測方法において、
さらに、個別生体の健康情報データを蓄積する個別健康情報データベースを用い、
前記個別生体に関する個別健康状態情報を入力する個別健康状態情報入力ステップと、
入力された個別健康状態情報と前記個別生体情報とを関連付けた個別健康情報データを生成する個別健康情報データ生成ステップと、
前記個別健康情報データを前記個別健康情報データベースに蓄積する個別健康情報データ蓄積ステップとを有し、
前記個別健康状態予測情報生成ステップは、前記健康情報データベースおよび前記個別健康情報データベースの少なくとも一方において、前記入力手段により入力された前記個別生体情報と関連する健康状態情報を選択し、かつ前記選択した健康状態情報に基づき前記個別生体の将来の健康状態予測情報を生成することが好ましい。
【００３９】
前述と同様の理由により、本発明の健康状態予測方法において、
前記健康情報データベースおよび前記個別健康情報データベースの少なくとも一方において、前記生体情報データおよび前記個別生体情報データの少なくとも一方の一部または全部が、時系列的に蓄積されていることが好ましい。
【００４０】
本発明の健康状態予測方法において、
前記個別健康状態予測情報生成ステップにおいて、前記生成される健康状態予測情報が、前記個別生体情報が入力された時点から一定期間の将来にわたり、前記個別生体の情報の入力された時点の状態が継続されたと仮定し、前記仮定および前記選択した健康状態情報に基づき前記個別生体の将来の健康状態予測情報を生成するという態様であってもよい。
【００４１】
本発明の健康状態予測方法において、前記個別生体情報が、コード化されたコード情報であり、前記個別生体情報入力ステップにおいて、前記コード情報を読取るという態様であってもよい。
【００４２】
前述と同様の理由により、本発明の健康状態予測方法において、
前記健康情報データおよび前記個別健康情報データを解析し、前記解析結果から、新規健康情報データを生成する新規データ生成ステップを含むことが好ましい。
【００４３】
本発明の健康状態予測方法において、
前記個別生体が個人であり、前記個別生体情報が摂食暦であり、前記健康状態情報が、疾病情報であり、前記個別健康状態情報が前記個人の疾病情報であり、前記健康状態予測情報が、前記個人の疾病予測情報であるという態様であってもよい。この場合、前記健康情報データおよび前記個別健康情報データが、前記摂食暦および前記疾病情報の統計データを含み、前記個人の疾病予測情報が、前記統計データからの疾病発症確率データおよび疾病程度の少なくとも一方を含むという態様であってもよい。
【００４４】
つぎに、本発明の健康管理支援方法は、個人の健康状態を維持または向上させるための飲食物およびサプリメントの少なくとも一方を含む推奨メニューを提供することで前記個人の健康管理を支援する健康管理支援方法であって、本発明の健康状態予測方法を含み、さらに、前記健康状態予測方法により出力された前記個人の疾病予測情報を基に推奨メニューを生成する推奨メニュー生成ステップと、前記推奨メニューを表示する推奨メニュー表示ステップとを含む健康管理支援方法である。
【００４５】
つぎに、本発明の健康状態予測プログラムは、本発明の健康状態予測方法をコンピュータ上で実行可能なコンピュータプログラムである。
【００４６】
つぎに、本発明の健康管理支援プログラムは、本発明の健康管理支援方法をコンピュータ上で実行可能なコンピュータプログラムである。
【００４７】
つぎに、本発明の健康状態予測記録媒体は、本発明の健康状態予測プログラムを格納した記録媒体である。
【００４８】
つぎに、本発明の健康管理支援記録媒体は、本発明の健康管理支援プログラムを格納した記録媒体である。
【００４９】
つぎに、本発明について、例を挙げて詳細に説明する。
【００５０】
本発明において、生体情報は、特に制限されない。例えば、個人の摂食暦と疾病情報との関係により、疾病予測をする場合、個人の摂食暦以外に入力する生体情報としては、例えば、下記の個人の生体情報がある。
【００５１】
（生体情報の例）
（１）  必須項目
・民族（白人・黄色人・黒人）
・居住地
・身長
・体重
・年齢(生年月日）
・性別
・喫煙率（一日本数×期間で累積量を計算）
・飲酒率（一日飲酒量×期間で累積エタノール摂取量を計算、酒種類を記録）
・生活強度（運動量：歩行数・有酸素運動・筋力トレーニング・スクワット・ ストレッチ・早歩きの時間）
・睡眠時間（起床時間・就寝時間・眠りの質）
・アレルギー（薬・食べ物・その他物質）
・主観的な体調入力（調子がいい/悪い、ストレス多い/少ないなど様々な訴え＝主訴）・精神状態
（２）  任意項目（重要度：高）
・体脂肪率・筋肉量
・腹囲  （その他胸囲・腰囲・頭囲）
・排便時間・回数・便量・便性状（下痢・便秘・血便・排便障害）
・排尿時間・回数・尿量・尿性状（血尿・排尿時痛・排尿障害）
・血圧
・現病歴（現在の病気）
・家族病歴（家族、特に両親・祖父母の病気、80歳以上長生きした家族）
・既往歴（過去の病歴）/輸血歴
・渡航歴
（３）  任意項目（重要度：低）
・脈拍数
・体温
・同居家族、家族構成
・職業歴（職業内容・生活強度、オフィス勤務環境など:VDT(visual display terminal)
・呼吸数  咳・痰・息切れなど自覚症状（喫煙・大気汚染・粉塵）
・酸素飽和度
・清潔度（入浴時間・回数・シャワー時間・回数）
・性交、異性愛か同性愛か
・過去妊娠回数・分娩回数・閉経時期・月経周期・授乳時期
・予防接種歴
・利き手
・毛髪量
・う歯（虫歯）・歯周病
・服薬歴（内服薬・外用薬種類、開始日時、量、累積期間）
・サプリメント(vitamin A, B6, B12, C, D, E, 葉酸、コエンザイムQ10、カルシウム・マグネシウム、アミノ酸・プロテイン・DHA・EPAなど）
・使用化粧品・使用石鹸・使用入浴品・使用洗剤
・パソコン・携帯電話利用歴
・居住歴（経時的に居住地・居住宅分類：マンション・木造住宅：シックハウ 
ス症候群など）
・居住地気候・気象・地理・地質
・教育・文化
・宗教
・ペット飼育歴（媒介生物・寄生虫疾患・アレルギー）
・移動歴（経時的にGPSにて把握）・利用交通手段（自動車・バス・船・電車・航空機など）
・放射線被曝歴・化学物質取り扱い歴
・同席した人間の記録（感染症把握に重要）
・味覚・嗅覚の経時的推移
・精神状態（各種テストで数値化）
・採血データ（血糖値、肝機能・腎機能・血算・電解質・免疫能、成長ホルモン・
インスリン・テストステロン・DHEA・甲状腺ホルモン・性腺刺激ホルモン・
副腎ホルモン・抗利尿ホルモンなどのホルモン、酸化ストレス測定：活性酸素・
フリーラジカル、アディポサイトカイン・メラトニンなど病院採血可能値なもの）
・脳認知機能検査
・視力
・メガネ・コンタクトレンズ使用歴
・聴力
・心電図
・脳波
・骨密度測定
・各種培養検査（咽頭・便・尿）
・皮膚マイクロスコープ・色素量・水分量・皮脂量
・X線・CT・MRI・PET・scintigram・腹部/心臓/経動脈エコー・眼底検査など画像データ
・病理検査
・遺伝情報（遺伝子配列：長寿関連遺伝子・老化遺伝子・動脈硬化遺伝子・生活習慣病
関連遺伝子）
・遺伝子の例
老化遺伝子：WRN helicase, lamine A, CSA, SCB, BML helicase, XP, ATM, 
21 chromosome trisomy、ミトコンドリアL/M型
動脈硬化遺伝子: angiotensin converting enzyme, メチレンテトラ葉酸還元酵素、
Gタンパクbeta3サブユニット、血小板glycoprotein Ia, IIb, IIIa,
Ibalpha, plasiminoge-activator、inhibitor1型、
パラオキソナーゼ、NADPH oxidase p22 phox, TNF-alpha, 
lymphotoxin, phosphodiesterase 4D
生活習慣病関連遺伝子: angiotensinogen, ACE, G protein beta3, beta2adrenalin, 
PPARgamma,アミリン、インスリン受容体、
HNF4alpha glucokinase, LDL受容体、アポリポ蛋白E、
レプチン、ビタミンD誘導体、alpha-1 antitrypsin.
【００５２】
本発明において、前記健康情報データベースは、特に制限されないが、例えば、ＥＢＭ（Ｅｖｉｄｅｎｃｅ−ｂｓａｅｄ  ｍｅｄｉｃｉｎｅ）のデータベース（ＤＢ）がある。EBMのDBとしては、公的な英国国民保健サービスのCochlane library (http://www.cochrane.org/index.htm), 米国内科学会のACP Journal Clib (http://www.acpjc.org/)などを用いる。 以下に、個別生体情報として摂食暦を入力した場合のＥＢＭ−ＤＢをも用いた疾病予測情報の生成の一例を示す。
【００５３】
まず、摂食暦と個人生体情報、EBM-DBより算出される疾病リスクの算出方法を定義する。
【００５４】
アルゴリズムは全てにおいて同様で、以下の流れとなる
１．摂食暦の栄養素のうち、該当疾病の起因となるものを抽出する。
２．個人生体情報のうち、該当疾病の起因となるものを抽出する。
３．EBM-DBから、該当疾病リスク算出に利用するパラメータを抽出する。
４．予測される疾病リスクを、数値で視認できるようにして、
利用者にフィードバックする。
５．〜<ここで利用者により個人生体情報の訂正が行われる>〜
６．個人生体情報の訂正が行われた場合、該当疾病の起因要素が
訂正されていたら、EBM-DBの該当疾病リスク算出パラメータを
増減させる。
７．摂食の栄養素全て、個人生体情報全てにおいて
多変量解析を行い、微量な変化をEBM-DBに登録
【００５５】
疾病リスクは、特に制限されず、例えば、高血圧、口腔/咽頭/食道癌、胃癌、大腸癌、肺癌、肝臓癌、膵臓癌、乳癌、子宮内膜癌、前立腺癌、腎臓癌、糖尿病、骨粗鬆症、高尿酸血症、鉄欠乏性貧血、妊婦に起こりうるリスク、心筋梗塞、脳梗塞、高脂血症、加齢、美肌、増毛、脱毛予防などがある。
【００５６】
各疾病の要因について下記に示す。過去の報告から列挙されており、疾病要因構成要素については適宜EBM-DBなどから更新する。
【００５７】
（高血圧）
リスク増加：多量塩分摂取、多量脂肪分摂取、多量アルコール摂取、高年齢、喫煙、運動不足、ストレス増加
リスク減少：カリウム摂取、マグネシウム摂取、カルシウム摂取、高運動、主観的な低ストレス
【００５８】
（口腔/咽頭/食道癌）
リスク増加：微量元素欠乏、高温食事摂取、多量アルコール摂取、喫煙、肥満、ウィルス感染
リスク減少：なし
【００５９】
（胃癌）
リスク増加：多量塩分摂取、多量肉摂取、野菜果物不足、居住地・民族がアジア、ヘリコバクターピロリ感染
リスク減少：なし
【００６０】
（大腸癌）
リスク増加：多量動物性脂肪摂取、多量動物性蛋白質摂取、野菜果物不足、多量アルコール摂取（メチオニン・葉酸の低摂取で高リスク増強）、居住地・民族が先進国、体重(肥満)、運動不足、喫煙、家族の大腸癌歴
リスク減少：食物繊維摂取、野菜果物摂取、コーヒー摂取、葉酸十分量摂取、中等度カルシウム摂取、非ステロイド性消炎鎮痛剤摂取
【００６１】
（肺癌）
リスク増加：多量脂肪分摂取、多量動物性脂肪摂取、多量アルコール摂取、高コレステロール血症、喫煙、アスベストへの曝露
リスク減少：なし
【００６２】
（肝臓癌）
リスク増加：mycotoxin,aflaroxinを含む食品の摂取、居住地・民族が南東アジア、アフリカ、B型肝炎、C型肝炎の罹患
【００６３】
（膵臓癌）
リスク増加：多量動物性脂肪摂取、多量動物性蛋白質摂取
リスク減少：食物繊維摂取、野菜果物摂取
【００６４】
（乳癌）
リスク増加：多量アルコール摂取、肥満、妊娠歴、出産歴、授乳歴、月経の有無、家族の乳癌歴、居住地・民族が先進国
【００６５】
（子宮内膜癌）
リスク増加：居住地・民族が南東アジア、アフリカ、B型肝炎、C型肝炎の罹患
リスク減少：食物繊維摂取、野菜果物摂取
【００６６】
（前立腺癌）
リスク増加：多量動物性脂肪摂取、多量動物性蛋白質摂取、居住地・民族が北米、欧米
リスク減少：ビタミンE摂取、セレニウム摂取
【００６７】
（腎臓癌）
[摂食暦より]
リスク増加：肥満
リスク減少：なし
【００６８】
（糖尿病）
リスク増加：多量飽和酸脂肪摂取、多量アルコール摂取、高年齢、肥満、BMIが高い、腹囲が基準値以上、体重増加度が高い、家族の糖尿病歴
リスク減少：コーヒー摂取、高運動、授乳
【００６９】
（骨粗鬆症）
リスク増加：カルシウム不足、多量コーヒー摂取、多量アルコール摂取、高年齢、家族に骨粗鬆症歴、運動不足、喫煙、副腎皮質ホルモン摂取、甲状腺ホルモン摂取、ゴナドトロピン放出ホルモン摂取、アゴニスト摂取、女性、閉経後、初潮遅延、早期閉経、出産数、両側卵巣摘出歴日照不足
リスク減少：牛乳摂取、サイアザイド摂取、女性ホルモン摂取
【００７０】
（高尿酸血症）
リスク増加：多量プリン体含有食事摂取、多量アルコール摂取、家族の高尿酸血症歴、利尿剤摂取、アスピリン摂取、現病歴（痛風、痛風結節、尿路結石、腎機能障害、動脈硬化）
リスク減少：なし
【００７１】
（鉄欠乏性貧血）
リスク増加：鉄分不足、月経がある出産可能年齢の女性、妊娠中の女性、授乳中の女性、急激な成長が見られる乳児、小児、思春期の小児、現病歴（出血性疾患、消化管潰瘍、大腸癌、子宮癌など）、アスピリン長期摂取、頻繁な献血
リスク減少：なし
【００７２】
（妊婦に起こりうるリスク）
リスク増加：葉酸欠乏：胎児二分脊椎症鉄欠乏：鉄欠乏性貧血
カルシウム欠乏：胎児歯脆弱
水銀摂取：奇形胎児
アルコール摂取：低体重児
喫煙：低体重児
体重(肥満)：低体重児
糖尿病悪化：胎児糖尿病、巨大児
リスク減少：なし
【００７３】
（心筋梗塞）
リスク増加：多量塩分摂取、多量脂肪分摂取、多量アルコール摂取、高年齢、主観的な高ストレス、喫煙、肥満、他の疾患の存在（高血圧、高脂血症、糖尿病、心房細動、卵円孔開存、高ヘマトクリット血症、高フィブリノーゲン血症、抗リン脂質抗体症候群、高ホモシステイン血症、動脈解離、先天性血栓性素因）、運動不足、家族の心筋梗塞歴、性別が男性、閉経後の女性、居住地が寒冷地
リスク減少：なし
【００７４】
（脳梗塞）
リスク増加：多量塩分摂取、多量脂肪分摂取、多量アルコール摂取、高年齢、主観的な高ストレス、喫煙、肥満、他の疾患の存在（高血圧、高脂血症、糖尿病、心房細動、卵円孔開存、高ヘマトクリット血症、高フィブリノーゲン血症、抗リン脂質抗体症候群、高ホモシステイン血症、動脈解離、先天性血栓性素因）、運動不足、家族の脳梗塞歴、性別が男性、閉経後の女性
リスク減少：なし
【００７５】
（高脂血症）
リスク増加：多量コレステロール摂取、多量脂肪分摂取、高年齢、肥満、他の疾患の存在（先天性疾患、甲状腺機能低下症、ネフローゼ症候群）、運動不足、家族の高脂血症歴、妊娠中の女性、閉経後の女性
リスク減少：なし
【００７６】
本発明において、疾病リスクとして、余命を算出することも可能である。余命算出は、例えば、次のようにして実施する。
【００７７】
すなわち、まず、世界保健機構(WHO)出版の、世界健康レポート中に掲載された日常的なリスクによる損失余命より、疾患罹患・イベント発症時の損失余命を引用し、それに発症リスクを乗じた数字を同年齢の人間の平均余命より減じることで、予測対象の個人の平均余命とする。なお、日本人の平均余命は、例えば、厚生労働省の統計（http://www.mhlw.go.jp/toukei/saikin/hw/life/life05/index.html）を使用することができる。平均余命の例を下記に示す。
【００７８】
[年齢]    [男性]    [女性]
0歳    78.53    85.49
5歳    73.85    80.78
10歳    68.90    75.81
15歳    63.94    70.84
20歳    59.05    65.90
25歳    54.22    60.99
30歳    49.39    56.09
35歳    44.58    51.20
40歳    39.82    46.35
45歳    35.14    41.54
50歳    30.59    36.81
55歳    26.21    32.17
60歳    22.06    27.62
65歳    18.11    23.16
70歳    14.38    18.85
75歳    11.07    14.80
80歳    8.23    11.11
85歳    5.93    7.97
90歳    4.23    5.56
95歳    3.05    3.90
100歳    2.21    2.80
(単位:歳)
【００７９】
これらの条件から、個人の余命を求めるには、当初下記の式を用いる。DBの更新に伴い、余命計算式を変更更新する。
【００８０】
利用者の余命 = 
(同年代同性の平均余命) 
- 5.94 × (高血圧リスク)
- 3.01 ×  (高コレステロール血症リスク) 
- 1.92 × (肥満リスク)
- 1.87 × (野菜果物不足)
- 1.78 × (運動不足)
- 6.15 × (喫煙)
- 1.61 × (飲酒リスク)
- 0.54 × (大気汚染リスク)
- 0.23 × (発がん物質摂取リスク)
- 0.05 × (鉄欠乏リスク)
【００８１】
前記各リスクは、疾患リスクについては現病歴及び摂食暦から計算し、その他の喫煙・飲酒・大気汚染については、喫煙歴・飲酒歴・摂食暦・居住歴より計算する。
【００８２】
つぎに、個別生体情報の変化による健康情報データベースの更新の例として、個人の体重の変化を予測してＥＢＭ−ＤＭを更新する例を説明する。
【００８３】
体重の変移算出に関し、必要な要素は、一日の基礎代謝量、一日の適正エネルギー量、一日の未消費エネルギー量となる。一日の未消費エネルギー量を脂肪に換算することにより体重の変移が求まる。
【００８４】
[一日の基礎代謝量]
一日の基礎代謝量算出には、ハリス・ベネディクト方程式を用いる。
【００８５】
男性：BMR = 66.5＋(体重×13.8)＋(身長×5.0)−(年齢×6.8)
女性：BMR = 66.5＋(体重×9.6)＋(身長×1.9)−(年齢×4.7)
【００８６】
例えば、177cm, 77kg, 36歳男性の場合、1762.5kcalが一日基礎代謝量となる。
【００８７】
[一日の適正エネルギー量]
一日の適正エネルギー量は、標準体重を元に算出する。
標準体重 = 身長[m]×身長[m]×22
一日の適正エネルギー量 = 標準体重×生活強度（25・30・35・40）kcal
(25: 生活強度弱、30：中程度、35-40：強）
ただし、以前に算出した利用者本来の適正エネルギー量がある場合はそれを用いる。
【００８８】
[一日の未消費エネルギー量]
一日の未消費エネルギー量は、適正エネルギー量から基礎代謝量を減算することで求まる。
一日の未消費エネルギー量 = 適正エネルギー量 − 基礎代謝量
【００８９】
算出した未消費エネルギー量を脂肪に換算するには、1Kgの脂肪 = 7000kcalの変換式を用いる。未消費エネルギーが正の値の場合は体重の増加、負の値ならば体重の減少を意味する。
【００９０】
ただし、１日の変移だけ見ても変移量が微量であるため、本例では３０日間の変移をもって、体重の変移を求める。摂食暦が３０日未満の場合は、都度最大限の日数をもって
算出を行う。
【００９１】
[30日の基礎代謝量]
30日の基礎代謝量 = 1日の基礎代謝量 × 30
[30日の適正エネルギー量]
30日の適正エネルギー量 = 1日の適正エネルギー量 × 30
[30日の未消費エネルギー量]
30日の未消費エネルギー量 = 30日の適正エネルギー量 − 30日の基礎代謝量
【００９２】
求めた30日の未消費エネルギー量から、1日の平均未摂取エネルギー量を求める。
１日の平均未摂取エネルギー量 = 30日の未消費エネルギー量 ÷ 30
この値を元に、体重の増減を利用者に返す。
【００９３】
提示された体重変移予測を、利用者が修正した場合、予測値が実測値と異なるということなので、利用者の一日の適正エネルギー量を更新する。
体重の差分 = 実測した体重 - 予測された体重
未消費エネルギー量の差異 = 体重の差分 ÷ 7000
【００９４】
上記計算で求まった、未消費エネルギーの差異が、適正エネルギー量の利用者ごとの差異となる。
利用者本来の適性エネルギー量 = 適正エネルギー量 - 未消費エネルギーの差異
この値をEBM-DBに格納し、次回以降の適正エネルギー量として扱う。
【実施例】
【００９５】
つぎに、本発明のシステムの実施例について説明する。下記に示すシステムの例では、摂食暦から疾病リスクを予測する例である。
【００９６】
（本発明のシステムの構成例：スタンドアローン型）
図１に、本発明のシステムの構成例の一例であるスタンドアローン型の全体構成図を示す。図１の例に示すシステムは、本発明の健康状態予測システム１から構成される。健康状態予測システム１は、健康状態予測入出力部２と健康状態予測計算部３から構成される。スタンドアローン型の機器構成例を、図４に示す。図示のように、健康状態予測システム１は、健康状態予測入出力部２、健康状態予測計算部３、パーソナルデータＤＢ（データベース）３７、摂食暦ＤＢ３８、食品ＤＢ３９、栄養素ＤＢ４０、画像ＤＢ４１、ＥＢＭ−ＤＢ４２から構成される。健康状態予測入出力部２は、予め設定された入出力プログラム３２を実行するＣＰＵ３１、データの入力を行う入力装置３３、データの出力を行う出力装置３４を有するコンピュータ機器で構成される。健康予測計算部３は、予め設定された計算プログラム３６を実行するＣＰＵ３５を有するコンピュータ機器で構成される。パーソナルデータＤＢ３７には、ユーザー個人の詳細情報として、身長、体重、性別、生年月日などの個人生体情報が格納される。摂食暦ＤＢ３８には、その詳細情報として、ユーザーの摂取した食事内容、摂食日時、食事の栄養素および摂取カロリーなどの各データが格納される。食品ＤＢ３９には、本実施例で扱う食品全てのデータが格納されている。栄養素ＤＢ４０には、食品ＤＢ３９に格納されている食品全ての栄養素および、カロリーが格納されている。画像ＤＢ４１には、食品ＤＢ３９に格納されている食品全ての画像が格納されている。ＥＢＭ−ＤＢ４２には、その初期情報として、平均的な疾病リスクおよび生体情報の変化に関する予測計算パラメータが格納されている。摂食暦ＤＢ３８にデータが蓄積されるたびに、健康予測計算部３により、予測計算パラメータは個人データに即した形で更新される。上記健康状態予測入出力部２、健康状態予測計算部３、各種ＤＢ３７〜４２は、あくまで機能上のものであり、１台のコンピュータ機器で一体に構成しても、複数台のコンピュータ機器で個別に構成しても、いずれでも適用可能である。
【００９７】
（本発明のシステムの構成例：全機能を端末が有し、通信手段を持つ例）
図２に、全機能を端末が有し、通信手段を持つシステムの例を示す。図２に示すシステムは、本発明の健康状態予測システム１１、データ解析システム１５から構成されるサーバーシステム１４で構成される。健康状態予測システム１１は、健康状態予測入出力部１２と健康状態予測計算部１３から構成される。健康状態予測システム１１とサーバーシステム１４は、ＴＣＰ（TransmissionControlProtocol ／ＩＰ（InternetProtocol）に基づくインターネットとして機能する公衆網や専用線、および携帯電話等の通信回線１００を介して接続されている。図５に、本例の機器構成の一例を示す。図示のように、健康状態予測システム１１は、健康状態予測入出力部１２、健康状態予測計算部１３、パーソナルデータＤＢ（データベース）５７、摂食暦ＤＢ５８、食品ＤＢ５９、栄養素ＤＢ６０、画像ＤＢ６１、ＥＢＭ−ＤＢ６２、通信インターフェース６３から構成され、通信インターフェース６３を介して通信回線１００に接続されている。サーバーシステム１４は、データ蓄積解析システム１５、摂食暦ＤＢ６５、通信インターフェース６７から構成され、通信インターフェース６７を介して通信回線１００に接続されている。健康状態予測入出力部１２は、予め設定された入出力プログラム５２を実行するＣＰＵ５１、データの入力を行う入力装置５３、データの出力を行う出力装置５４を有するコンピュータ機器で構成される。健康予測計算部１３は、予め設定された計算プログラム５６を実行するＣＰＵ５５を有するコンピュータ機器で構成される。パーソナルデータＤＢ５７には、ユーザー個人の詳細情報として、身長、体重、性別、生年月日などの個人生体情報が格納される。摂食暦ＤＢ５８には、その詳細情報として、ユーザーの摂取した食事内容、摂食日時、食事の栄養素および摂取カロリーなどの各データが格納される。食品ＤＢ５９には、本実施例で扱う食品全てのデータが格納されている。栄養素ＤＢ６０には、食品ＤＢ５９に格納されている食品全ての栄養素および、カロリーが格納されている。画像ＤＢ６１には、食品ＤＢ５９に格納されている食品全ての画像が格納されている。ＥＢＭ−ＤＢ６２には、その初期情報として、平均的な疾病リスクおよび生体情報の変化に関する予測計算パラメータが格納されている。摂食暦ＤＢ５８にデータが蓄積されるたびに、健康予測計算部１３により、予測計算パラメータは個人データに即した形で更新される。上記健康状態予測入出力部１２、健康状態予測計算部１３、各種ＤＢ５７〜６２、通信インターフェース６３は、あくまで機能上のものであり、１台のコンピュータ機器で一体に構成しても、複数台のコンピュータ機器で個別に構成しても、いずれでも適用可能である。データ蓄積解析システム１５は、予め設定された解析プログラム６５を実行するＣＰＵ６４を有するコンピュータ機器で構成される。摂食暦ＤＢ６６には、健康状態予測システム１１で入力された摂食暦データを、蓄積、解析するために別途、不特定多数のユーザー分格納させる。上記データ蓄積解析システム１５、摂食暦ＤＢ６６、通信インターフェース６７は、あくまで機能上のものであり、１台のコンピュータ機器で一体に構成しても、複数台のコンピュータ機器で個別に構成しても、い���れでも適用可能である。
【００９８】
（本発明のシステムの構成例：サーバーで処理する例）
図３に、サーバーで処理するシステムの全体構成図を示す。図示のように、本システムは、本発明の健康状態予測システム２１、データ解析システム２４と健康状態予測システム２５から構成されるサーバーシステム２３で構成される。健康状態予測システム２１は、健康状態予測入出力部２２から構成される。健康状態予測システム２１とサーバーシステム２３は、ＴＣＰ（TransmissionControlProtocol ／ＩＰ（InternetProtocol）に基づくインターネットとして機能する公衆網や専用線、および携帯電話等の通信回線２００を介して接続されている。図６に、サーバーで処理するシステムの機器構成の一例を示す。図示のように、健康状態予測システム２１は、健康状態予測入出力部２２、通信インターフェース７５から構成され、通信インターフェース７５を介して通信回線２００に接続されている。サーバーシステム２３は、健康状態予測計算部２４、データ蓄積解析システム２５、パーソナルデータＤＢ（データベース）８０、摂食暦ＤＢ８１、食品ＤＢ８２、栄養素ＤＢ８３、画像ＤＢ８４、ＥＢＭ−ＤＢ８５、、通信インターフェース８６から構成され、通信インターフェース８６を介して通信回線２００に接続されている。健康状態予測入出力部２２は、予め設定された入出力プログラム７２を実行するＣＰＵ７１、データの入力を行う入力装置７３、データの出力を行う出力装置７４を有するコンピュータ機器で構成される。上記健康状態予測入出力部２２、通信インターフェース７５は、あくまで機能上のものであり、１台のコンピュータ機器で一体に構成しても、複数台のコンピュータ機器で個別に構成しても、いずれでも適用可能である。健康予測計算部２４は、予め設定された計算プログラム７７を実行するＣＰＵ７６を有するコンピュータ機器で構成される。データ蓄積解析システム２５は、予め設定された解析プログラム７９を実行するＣＰＵ７８を有するコンピュータ機器で構成される。パーソナルデータＤＢ８０には、ユーザー個人の詳細情報として、身長、体重、性別、生年月日などの個人生体情報が、不特定多数のユーザー分格納される。摂食暦ＤＢ８１には、その詳細情報として、ユーザーの摂取した食事内容、摂食日時、食事の栄養素および摂取カロリーなどの各データが、不特定多数のユーザー分格納される。食品ＤＢ８２には、本実施例で扱う食品全てのデータが格納されている。栄養素ＤＢ８３には、食品ＤＢ８２に格納されている食品全ての栄養素および、カロリーが格納されている。画像ＤＢ８４には、食品ＤＢ８２に格納されている食品全ての画像が格納されている。ＥＢＭ−ＤＢ８５には、その初期情報として、平均的な疾病リスクおよび生体情報の変化に関する予測計算パラメータが格納されている。摂食暦ＤＢ８１にデータが蓄積されるたびに、健康予測計算部２４により、予測計算パラメータは不特定多数のユーザーデータに対応した形で更新される。上記健康状態予測計算部２４、データ蓄積解析システム２５、各種ＤＢ８０〜８５、通信インターフェース８６は、あくまで機能上のものであり、１台のコンピュータ機器で一体に構成しても、複数台のコンピュータ機器で個別に構成しても、いずれでも適用可能である。
【００９９】
（本発明のシステムの基本的な処理の例）
図７Ａ、図７Ｂおよび図７Ｃのフローチャートに、本発明のシステムの基本的な処理の例を示す。以下、同図にしたがい、処理の流れを説明する。なお、本発明のシステムにおける各処理ステップは、ＣＰＵや主メモリ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザーインターフェースなどを適宜利用することで実行される。
また、以下の処理フローにおける個人生体情報の入力や食事摂取日の指定、食事をとったかの判断、食事の選択、主観的な食事の量などの入力、入力を続けるかの判断、未入力の食事があるかの判断、実際の生体情報/疾病と差異があるか？の判断などのユーザー入力に応じた処理は、例えばＵＩ（ユーザーインターフェース）などを利用して入力装置からのユーザー入力を受付けることで処理を行うと良い。
【０１００】
[1]
「パーソナルデータが登録されているか？」を判断する。
[1-1(No)]
Ｎｏの場合、個人生体情報を入力装置から入力し、パーソナルデータDBへ登録する
ただし、個人生体情報は多岐に渡るため、必須項目以外は任意入力とする。
[2(Yes)]
Ｙｅｓの場合、食事摂取日を指定する。この際、詳細な情報を得たい場合は、摂取時間も合わせて指定する。
[3]
「食事をとったか？」を判断する。
[3-1(No)]
Ｎｏの場合、「食事は未摂取」という情報を指定日時の摂食暦として扱い、摂食暦DBへ登録する。
[4]
食べた食事を、食品DBから選択する。
[5]
食品を元に栄養素DBから栄養素を取得する。
[6]
摂食暦DBへ、摂取日時とともに食品、栄養素と、
・主観的な食事の量
・主観的な味の濃さ
・主観的な食事の熱さ
を入力装置より入力し、登録する。
[7]
「入力を続けるか?」を判断する。
[8(No)]
Ｎｏの場合、「現在までに未入力の食事はあるか？」を判断する。
[8-1(Yes)]
Ｙｅｓの場合、未入力の食事は、その日までの食事内容を平均化したデータで穴埋めする。
[9]
個人生体情報と摂食暦を多変量解析し、各算出項目と相関関係にある起因データを抽出する。算出されるものは、大きく分けて
・累積された疾病リスク
・予測される生体情報の変移
・上記２項目に相関する起因データとなる。
この際、計算アルゴリズムはEBM-DBからパラメータを参照する
[10]
予測された生体情報と疾病リスク、ならびに起因データを入力装置に表示する。
[11]
「実際の生体情報/疾病と差異があるか？」を判断する。
[11-1(Yes)]
Ｙｅｓの場合、計算された生体情報/疾病のうち修正したい項目だけ入力装置より訂正する。
[11-2]
訂正された情報と予測された情報をもとに、EBM-DBのパラメータを変更する。
[12]
現在までの食事内容を平均化したデータを、未来の食事内容として扱い、摂食暦DBとEBM-DB、パーソナルデータDBから未来の
・疾病リスク
・生体情報の変移
をシュミレーションし、入力装置へ表示する。
【０１０１】
（本発明のネットワークシステムの基本的な処理の例）
図８Ａ、図８Ｂおよび図８Ｃのフローチャートに、本発明のネットワークシステムの基本的な処理の例を示す。以下、同図にしたがい、処理の流れを説明する。
【０１０２】
[1]
「パーソナルデータが登録されているか？」を判断する。
[1-1(No)]
個人生体情報と生活強度を入力装置から入力する。ただし、個人生体情報は多岐に渡るため、必須項目以外は任意入力とする。
[1-2]
入力されたパーソナルデータをサーバーのパーソナルデータDBへ登録する。
[2]
食事摂取日を指定する。この際、詳細な情報を得たい場合は、摂取時間も合わせて指定する。
[3]
「食事をとったか？」を判断する。
[3-1(No)]
Ｎｏの場合、「食事は未摂取」という情報を指定日時の摂食暦として扱い、サーバーの摂食暦DBに登録する。
[4]
食べた食事を、入力装置から入力する。
[5]
入力された食事を、サーバーの食品DB,栄養素DBと照合し入力装置へ返す。
[6]
入力装置に表示された食事内容を確認し、
・主観的な食事の量
・主観的な味の濃さ
・主観的な食事の熱さ
を入力装置より入力する。
[7]
サーバーの摂食暦DBへ、摂取日時とともに、食品、栄養素と、主観的な食事の量、
主観的な味の濃さ、主観的な食事の熱さを登録する。
[8]
「入力を続けるか?」を判断する。
[9(No)]
「現在までに未入力の食事はあるか？」を判断する。
[9-1(Yes)]
Ｙｅｓの場合、未入力の食事は、その日までの食事内容を平均化したデータで穴埋めする。
[10(No)]
サーバーで個人生体情報と摂食暦を多変量解析し、各算出項目と相関関係にある起因データを抽出する。算出されるものは、大きく分けて
・累積された疾病リスク
・予測される生体情報の変移
・上記２項目に相関する起因データ
となる
この際、計算アルゴリズムは全共通EBM-DBからパラメータを参照する。
[11]
予測された生体情報と疾病リスク、ならびに起因データを入力装置に表示する。
[12]
「実際の生体情報/疾病と差異があるか？」を判断する。
[12-1(Yes)]
Ｙｅｓの場合、入力装置に表示された生体情報/疾病のうち、修正したい項目だけ入力装置より訂正する。
[12-2]
サーバーにて訂正された情報と予測された情報をもとに、全共通EBM-DBのパラメータを変更する。
[13]
サーバーにて、入力者個人の現在までの食事内容を平均化したデータを、未来の
食事内容として扱い、入力者個人の摂食暦DBとパーソナルデータDB、全共通の
EBM-DBから未来の
・疾病リスク
・生体情報の変移
をシュミレーションし、入力装置へ返す。
[14]
サーバーにてシュミレーションされた内容を、入力装置へ表示する。
【０１０３】
（個人生態情報入力の例）
図９Ａ、図９Ｂおよび図９Ｃのフローチャートに、個人生体情報入力の例を示す。以下、同図にしたがい、処理の流れを説明する。
【０１０４】
[1]
民族(白人,黒人,黄色人)、居住地を選択。
[2]
・生年月日(yyyy/mm/dd)
・性別(♂/♀)
・身長(cm)
・体重(kg)
を入力。
[3]
性別、身長、体重からBMIを計算する。
[4]
・体脂肪率(%)
・筋肉量(kg)
を入力。
[5]
体脂肪率と筋肉量から基礎代謝率を計算。
[6]
・腹囲(cm)
を入力。
[7]
・血圧(収縮期/拡張期)
・脈拍数
・体温
を入力。
[8]
性別、腹囲からメタボリックシンドロームの可能性を判定。
[9]
喫煙の有無を確認。
[10]
「喫煙しているか？」を判断。
[10-1(Yes)]
Ｙｅｓの場合、喫煙量(本/day)、喫煙期間を入力。
[11]
飲酒の有無を確認。
[12]
「飲酒しているか？」を判断。
[12-1(Yes)]
Ｙｅｓの場合、主な酒類、飲酒量(/day)、飲酒期間を入力。
[13]
生活強度をレベル1〜3から選択する。
[14]
平均睡眠期間を開始時刻、終了時刻で指定する。
[15]
アレルギー状態を選択、体感的な重度を入力。
[16]
平均的な、
・排尿回数、尿状態(血尿、排尿時痛等)
・排便回数、便状態(便秘、下痢、血便等)
を入力。
[17]
過去/現在の病歴を指定する。
[病歴]
選択できる病歴は、
国際疾病分類（ICD10)に準じて
分類、そこから選択。
[18]
家族の病歴を指定する。
【０１０５】
（未入力食事の穴埋めの例）
図１０のフローチャートに、未入力食事の穴埋めの処理の例を示す。以下、同図にしたがい、処理の流れを説明する。
【０１０６】
[1]
平均値を求める期間をユーザーが指定できる。指定がなかった場合は、過去全てを対象とする。
[2]
既入力の摂食暦より、指定した期間全ての食事データを日別に取得。
[3]
指定期間全ての日において、摂食回数が3食未満の日があった場合、
(未入力日から指定日まで遡った全ての総和 ÷ 
未入力日までの食事回数) × 3 ÷ 未入力日までの経過日数
を未入力日の1日分の食事摂取量として、換算する。
【０１０７】
（日々の個人生体情報訂正の例）
図１１Ａおよび図１１Ｂのフローチャートに、日々の個人生体情報訂正の処理の例を示す。以下、同図にしたがい、処理の流れを説明する。
【０１０８】
[1]
主観的な体調を
・よい/わるい
・ストレス感じる/感じない
から選択する。
[2]
予測された体重に差異があった場合、体重(kg)を入力。
[3]
「年少期の利用者か？」を判断する。
[3-1(Yes)]
Ｙｅｓの場合、1週に一度、
・身長(cm)
を再入力。
[4]
性別、身長、体重からBMIを再計算する。
[5]
・体脂肪率(%)
・筋肉量(kg)
を再入力。
[6]
体脂肪率と筋肉量から基礎代謝率を再計算。
[7]
・腹囲(cm)
を再入力。
[8]
性別、腹囲からメタボリックシンドロームの可能性を再判定。
[9]
・血圧(収縮期/拡張期)
を再入力。
[10]
「女性の利用者か？」を判断する。
[10-1(Yes)]
Ｙｅｓの場合、月経の有無を入力。
[11]
「喫煙したか？」を判断する。
[11-1(Yes)]
Ｙｅｓの場合、喫煙量(本/day)を入力。
[12]
「飲酒したか？」を判断する。
[12-1(Yes)]
Ｙｅｓの場合、主な酒類、飲酒量(/day)を入力。
[13]
摂取日の生活強度をレベル1〜3から選択する。
[14]
もっとも最近の睡眠期間を、開始時刻〜終了時刻で再入力する。
【０１０９】
（日々の個人生体情報訂正の例）
図１２のフローチャートに、推奨メニューの提示の処理の例を示す。以下、同図にしたがい、処理の流れを説明する。
【０１１０】
[1]
EBM-DBから各栄養素毎の
・未摂取限界期間
・摂取基準量
を取得する。
[2]
摂食暦DBより、各栄養素毎の摂食日時から遡った未摂取限界期間中に摂取している量を合算する。
[3]
全栄養素の摂取基準量と実摂取量を比べ、過不足量を算出する。
[4]
各栄養素の過不足量をいちばん含む食品を、以下のルールに当てはめて決定する。ルール中の摂取予定日時とは、今回の食事の次にとるべきもの（朝食なら昼、夕飯なら翌日の朝食）の摂取予定日時とする。
・過去の摂食暦より、摂取予定曜日により多く摂取しているもの
・過去の摂食暦より、摂取予定時刻により多く摂食しているもの
・過去の摂食暦より、利用者の摂取頻度が高いもの
・個人生体情報に登録されているアレルゲンを含まないもの
[5]
表示装置に推奨メニューとして表示する。
【０１１１】
（ペン入力装置による摂食暦入力の例）
図１３Ａ、図１３Ｂおよび図１３Ｃのフローチャートに、ペン入力装置による摂食暦入力の処理の例を示す。以下、同図にしたがい、処理の流れを説明する。なお、ペン入力装置は、例えばマトリクススイッチ方式や抵抗膜方式などによる入力機構を備えた入力装置などが挙げられる。
【０１１２】
[1]
入力日当日をデフォルト摂取日として表示装置に出力する。
[2]
訂正がある場合は、入力装置の表示装置上に数字を書くことで日付を入力する。また、カレンダー状のリストから日付を選択することでも入力できる。
[3]
「摂取時刻も入力するか？」を判断する。
[3-1(Yes)]
Ｙｅｓの場合、入力装置の表示装置上に数字を書くことで時刻を入力する。また、時計を模した図面から時刻を指定することもできる。
[4]
食事をとったか、未摂取かを確認する。
[5]
「食事を取ったか？」を判断する。
[5-1(No)]
Ｎｏの場合、事前に入力した摂取日時と、食事は未摂取という情報を摂食暦DBへ格納する。
[6]
食べた食事の名称を入力装置の表示装置上にカタカナで記述、入力する。
[7]
文字の入力が行われるたびに、入力文字列と、食品DBの食品名称カナとを比較し、入力文字列が食品名称カナに含まれるものを取得し、一覧として表示装置に出力する。
[8]
一覧化するにあたり、
・過去の摂食暦より、入力摂取曜日により多く摂取しているもの
・過去の摂食暦より、入力摂取時刻により多く摂食しているもの
・摂食に際し同席した人物を入力することにより、その人物と摂取した機会が多い食品
・入力装置がGPS機能を有していた場合は、緯度経度情報より店舗の特定を行い、
その店舗が扱う食品
・過去の摂食暦より、主観的体調が一致する日により多く摂取しているもの
・過去の摂食暦より、運動量が一致する日により多く摂取しているもの
・過去の摂食暦より、睡眠時間が一致する日により多く摂取しているもの
を元に、摂取頻度の多いものを上位に表示する。
[9]
「該当する食事が見つかったか?」を判断する。
[10(Yes)]
Ｙｅｓの場合、表示された一覧から該当するものをペンでタッチして選択する。
[11]
選択された食品の詳細を、食品DB,栄養素DB,画像DBより取得して、表示装置に出力する。
[12]
「この食事で間違いないか?」を判断する。
[12-1(No)]
Ｎｏの場合、「日付から変更するか？」を判断する。
[13]
事前に入力した摂取日時と、選択した食品、その栄養素とともに、
・主観的な食事の量
・主観的な味の濃さ
・主観的な食事の熱さ
を入力装置より入力し、摂食暦DBへ格納する。
【０１１３】
キーボード入力装置、ソフトウエアキーボード入力装置および音声入力装置を用いた摂食暦の入力も、ペン入力と同様にして実施できる。図１４Ａ、図１４Ｂおよび図１４Ｃのフローチャートに、キーボード入力装置による摂食暦入力の処理の例を示す。同様に、図１５Ａ、図１５Ｂおよび図１５Ｃのフローチャートに、キーボード入力装置による摂食暦入力の処理の例を示す。同様に、図１６Ａ、図１６Ｂおよび図１６Ｃのフローチャートに、音声入力装置による摂食暦入力の処理の例を示す。
【０１１４】
（バーコード入力装置による摂食暦入力の例）
図１７Ａおよび図１７Ｂのフローチャートに、バーコード入力装置による摂食暦入力の処理の例を示す。以下、同図にしたがい、処理の流れを説明する。
【０１１５】
[1]
入力日当日をデフォルト摂取日として表示装置に出力する。
[2]
訂正がある場合は、入力装置から訂正する。また、カレンダー状のリストから日付を選択することでも入力できる。
[3]
「摂取時刻も入力するか？」を判断する。
[3-1(Yes)]
Ｙｅｓの場合、入力装置から時刻を入力する。また、時計を模した図面から時刻を指定することもできる。
[4]
食事をとったか、未摂取かを確認する。
[5]
「食事を取ったか？」を」判断する。
[5-1(No)]
Ｎｏの場合、事前に入力した摂取日時と、食事は未摂取という情報を、摂食暦DBへ格納する。
[6]
バーコードリーダーで食べた食事のバーコードを読み取り、食品DBのバーコード項目と
比較する。
[7]
「該当する食事が見つかったか?」を判断する。
[7-1(No)]
Ｎｏの場合、見つからないことを表示装置に表示し、再入力を促す。
[8]
選択された食品の詳細を、食品DB,栄養素DB,画像DBより取得して、表示装置に出力する。
[9]
「この食事で間違いないか?」を判断する。
[9-1(No)]
Ｎｏの場合、「日付から変更するか？」を判断する。
[10]
事前に入力した摂取日時と、選択した食品、その栄養素とともに、
・主観的な食事の量
・主観的な味の濃さ
・主観的な食事の熱さ
を入力装置より入力し、摂食暦DBへ格納する。
【０１１６】
ＯＣＲ入力装置、ＩＣタグ入力装置および写真認識入力装置を用いた摂食暦の入力も、ペン入力やバーコード入力と同様にして実施できる。図１８Ａおよび図１８Ｂのフローチャートに、ＯＣＲ入力装置による摂食暦入力の処理の例を示す。同様に、図１９Ａおよび図１９Ｂのフローチャートに、ＩＣタグ入力装置による摂食暦入力の処理の例を示す。同様に、図２０Ａおよび図２０Ｂのフローチャートに、写真認識入力装置による摂食暦入力の処理の例を示す。
【０１１７】
（ネットワーク利用の音声認識入力装置による摂食暦入力の例）
図２１Ａおよび図２１Ｂのフローチャートに、ネットワークを利用した音声入力装置による摂食暦入力の処理の例を示す。以下、同図にしたがい、処理の流れを説明する。
【０１１８】
[1]
入力日当日をデフォルト摂取日として表示装置に出力する。
[2]
訂正がある場合は、入力装置から訂正する。また、カレンダー状のリストから日付を選択することでも入力できる。
[3]
「摂取時刻も入力するか？」を判断する。
[3-1(Yes)]
Ｙｅｓの場合、入力装置から時刻を入力する。また、時計を模した図面から時刻を指定することもできる。
[4]
食事をとったか、未摂取かを確認する。
[5]
「食事を取ったか？」を判断する。
[5-1(No)]
Ｎｏの場合、事前に入力した摂取日時と、食事は未摂取という情報を、摂食暦DBへ格納する。
[6]
食べた食事の名称を入力装置から音声で入力し、音声データを記憶する。
[7]
記憶した音声データをネットワークを介してサーバーに送り解析、文字列情報として
入力装置に返す。サーバーでの解析は、例えば、
・ソフトウェアによる自動解析
・オペレータによる解析
の少なくとも一方による。
[8]
「該当する食事が見つかったか?」を判断する。
[8-1(No)]
Ｎｏの場合、見つからないことを表示装置に表示し、再入力を促す
[9]
選択された食品の詳細を、食品DB,栄養素DB,画像DBより取得して、表示装置に出力する。
[10]
「この食事で間違いないか?」を判断する。
[10-1(No)]
Ｎｏの場合、「日付から変更するか？」を判断する。
[11]
事前に入力した摂取日時と、選択した食品、その栄養素とともに、
・主観的な食事の量
・主観的な味の濃さ
・主観的な食事の熱さ
を入力装置より入力し、摂食暦DBへ格納する。
【０１１９】
ネットワークを用いた写真認識キーボード入力装置を用いた摂食暦の入力も、ネットワークを用いた音声認識入力と同様にして実施できる。図２２Ａおよび図２２Ｂのフローチャートに、ネットワークを利用した写真認識入力装置による摂食暦入力の処理の例を示す。
【０１２０】
（食事ジャンルによる食品の絞込みの例）
図２３Ａおよび図２３Ｂのフローチャートに、食事ジャンルによる食品の絞込みの処理の例を示す。以下、同図にしたがい、処理の流れを説明する。
【０１２１】
[1]
食事ジャンル
・洋食
・和食
・中華
・その多食事
・菓子
・アルコール
を表示装置に表示し、入力装置より選択する。
[2]
指定された食事ジャンルに関連する食品を、カテゴリDBと食品DBの結び付けで
一覧化する。ただし、下記ルールのうち指定したジャンル以外のものは対象外とする
＊下記とは［3］のこと
[3]
一覧化するにあたり、
・過去の摂食暦より、入力摂取曜日により多く摂取しているもの
・過去の摂食暦より、入力摂取時刻により多く摂食しているもの
・摂食に際し同席した人物を入力することにより、その人物と摂取した機会が多い食品
・入力装置がGPS機能を有していた場合は、緯度経度情報より店舗の特定を行い、
その店舗が扱う食品
・過去の摂食暦より、主観的体調が一致する日により多く摂取しているもの
・過去の摂食暦より、運動量が一致する日により多く摂取しているもの
・過去の摂食暦より、睡眠時間が一致する日により多く摂取しているもの
を元に、摂取頻度の多いものを上位に表示する．
[4]
「該当する食事が見つかったか?」を判断する。
[5(Yes)]
Ｙｅｓの場合、表示された一覧から該当するものを選択する。
[6]
選択された食品の詳細を、食品DB,栄養素DB,画像DBより取得して、表示装置に出力する。
[7]
「この食事で間違いないか?」を判断する。
[7-1(No)]
Ｎｏの場合、「ジャンルから変更するか？」を判断する。
【０１２２】
店舗指定による食品の絞込みも、食事ジャンルによる食品の絞込みと同様にして実施できる。図２４Ａおよび図２４Ｂのフローチャートに、店舗指定による食品の絞込みの処理の例を示す。
【０１２３】
（疾病リスク計算例：高血圧）
図２５のフローチャートに、疾病リスクの計算例として、高血圧のリスクの計算例を示す。同図に示す処理は、下記のようにして実施される。
【０１２４】
[1]
現EBM-DBから高血圧起因とされる要素毎のパラメータを取得し、摂食暦の各栄養素、個人生体情報の各データより、予測される血圧の変化を算出する。
＊補足
EBM-DBの高血圧起因要素の初期値は、
[摂食暦に属する情報]
・塩分摂取量/日
・脂肪分摂取量/日
・カリウム摂取量/日
・マグネシウム摂取量/日
・カルシウム摂取量/日
[個人生体情報に属する情報]
・生活強度より運動量
・主観的なストレス度
・他の疾患の存在
・喫煙
・高年齢
となる。
ただし、後述の多変量解析の結果、血圧起因要素は利用者毎に個体差が生じるため、要素の増減、および重度の増減が発生する。予測値の計算、多変量解析による起因要素の特定を行うことにより、EBM-DBは常に各個人に特化した適切なデータへと進化していく。
[2]
「利用者により実血圧が訂正されたか？」を判断する。
[3(Yes)]
Ｙｅｓの場合、訂正された血圧と算出血圧との差異を指標値とし、摂食暦の全栄養素、個人生体情報の変化値とを多変量解析し、血圧の起因となる要素を特定、その重度を算出する。
[4]
算出結果をEBM-DBに反映し次回以降の計算に利用する。
【０１２５】
（個人生体情報変化の予測とEBM-DBの更新例（体重））
図２６Ａおよび図２６Ｂのフローチャートに、個人生体情報変化の予測とEBM-DBの更新例（体重）の処理の例を示す。同図に示すように、処理は、下記のように実施される。
【０１２６】
[1]
個人生体情報から身長、体重、性別、年齢を取得し、以下の式を用いて一日の
基礎代謝量(BMR)を求める。
男性:BMR = 66.5＋(体重 × 13.8)＋(身長 × 5.0)−(年齢 × 6.8)
女性:BMR = 66.5＋(体重 × 9.6)＋(身長 × 1.9)−(年齢 × 4.7)
[2]
個人生体情報から生活強度、身長を取得し、
・身長から標準体重
・標準体重から一日の標準消費エネルギー量
を求める。
標準体重 = 身長(m) × 身長(m) ×22
標準摂取エネルギー = 標準体重 × 生活強度毎値
＊補足
生活強度値
生活強度低 = 25
生活強度中 = 30
生活強度高 = 35
生活強度最高 = 40
[3]
上記式を流用し、１ヶ月(30日)の未消費エネルギーを計算する。
1ヶ月の未消費エネルギー = 
Σ(i=1,n=30)標準摂取エネルギー - 
Σ(j=1,n=30)基礎代謝量
＊上記式とは［1］,［2］のこと
＊補足
・Σ(シグマ)は、値の合計を意味する。
ここで、(i=1,n=30)標準摂取エネルギーの場合は
１日目の標準摂取エネルギー + ２日目の標準摂取エネルギー + ...３０日目の
標準摂取エネルギー、と同義である。
・摂食暦が１ヶ月未満だった場合は、1ヶ月の日数30日を減らして計算する
[4]
脂肪１ｋｇをエネルギー換算すると7000kcalと仮定し、１ヶ月の未消費エネルギーを
基に、体重の増減を求める。
体重の増減値(kg) = １ヶ月の未消費エネルギー / 7000
[5]
計算で求めた体重の増減値と、個人生体情報の体重を加算して現体重予測値を計算し、
表示装置に表示する。
[6]
「利用者により体重が更新されたか？」を判断する。
[7(Yes)]
ｙｅｓの場合、現体重予測値と実体重の差分を求め、エネルギーに換算する。
差分エネルギー = (実体重(kg) - 現体重予測値(kg)) × 7000
[8]
差分エネルギーを、1ヶ月の未消費エネルギー算出に使用した日数で除算し、１日の差分エネルギーを求める。
一日の差分エネルギー = 差分エネルギー ÷ 日数(30)
[9]
先に求めた標準摂取エネルギーに一日の差分エネルギーを加算したものが、今後の標準摂取エネルギーとなるため、EBM-DBへ「標準摂取エネルギー」として格納する。
【０１２７】
（携帯ゲーム機の例）
つぎに、本発明のシステムを携帯ゲーム機で実施した例を示す。この例の携帯ゲーム機は、画面に示された指示に従い、入力ペンでボタンを押したり、文字を記入して入力することで、個人の摂食暦をはじめとする生体情報を入力し、ＥＢＭ−ＤＢにより将来の疾病（疾患）リスク情報をゲーム感覚で得ることができる。したがって、ゲームプレーヤーは、ゲーム感覚で自分の摂食暦などの生体情報を入力する。したがって、携帯ゲームが、端末となって、インターネットを介して専用サーバーに生体情報を集めることができ、その結果、大規模な疫学的調査が可能になる。この場合、ゲームプレーヤーは、ゲームを楽しみながら疫学調査に貢献でき、かつ自己の健康管理も実施できる。
【０１２８】
図２７から図３０に携帯ゲーム機の画面遷移図を示す。
【０１２９】
（画面Ａ）
画面Ａは、タイトル画面であり、画面上部に、ゲームのタイトルである「食事 LOG」ロゴと著作権情報を配置している。画面下部に「スタート」ボタンを配置し、その近辺に「スタートボタンを押してください」と点滅表示する。
（１）「スタート」ボタン押下で画面Ｂへ遷移する。
【０１３０】
（画面Ｂ）
画面Ｂは、メイン画面であり、画面下部に「食事入力」ボタン、「パーソナルデータ」ボタン、「寿命・疾患リスク」ボタンを配置している。
（１）「パーソナルデータ」ボタン押下で画面Ｃへ遷移する。
（２）また、「食事入力」ボタン押下で画面Ｄへ遷移する。「寿命・疾患リスク」ボタン押下で画面Ｆ-２へ遷移する。
【０１３１】
（画面Ｃ）
画面Ｃは、パーソナルデータ入力画面である。画面上部に、「パーソナルデータを入力します」と表示する。画面下部に「民族・居住地」ボタン、「性別・生年月日」ボタン、「身長・体重・3サイズ」ボタン、「体脂肪率・筋肉量」ボタン、「血圧・脈拍数・体温」ボタン、「喫煙・飲酒」ボタン、「生活強度」ボタン、「平均睡眠期間」ボタン、「アレルギー・病歴」ボタン、「排尿・排便」ボタンを配置する。画面左部に「戻る」ボタンを配置する。
（１）「民族・居住地」ボタン、「性別・生年月日」ボタン、「身長・体重・3サイズ」ボタン、「体脂肪率・筋肉量」ボタン、「血圧・脈拍数・体温」ボタン、「喫煙・飲酒」ボタン、「生活強度」ボタン、「平均睡眠期間」ボタン、「アレルギー・病歴」ボタン、「排尿・排便」ボタンの各ボタン押下で各項目の修正画面へ遷移する。
（２）「戻る」ボタン押下で画面Ｂへ遷移する。
【０１３２】
（画面Ｄ）
画面Ｄは、単品メニュー入力画面である。画面上部に、「食べたメニューをカタカナで入力してください    未摂取情報も入力できます」と表示し、その具体例を表示する。画面下部に、日付入力欄、時刻入力欄、今日の日付へ移動可能なボタン、単品メニューを文字により入力可能な欄、入力した文字を表示する欄、入力した文字を１文字づつ消去可能な「←」ボタン、入力した文字を一括消去可能な「消去」ボタン、未摂取という情報を入力可能な「未摂取」ボタンを配置している。画面左部に「戻る」ボタンを、画面右部に「決定」ボタンを表示する。
（１）「日付入力欄」及び「時刻入力欄」からあるメニューを摂取した時間を入力。
（２）「今日」ボタン押下で「日付入力欄」が入力日の日付に変わる。
（３）「単品メニューを文字により入力可能な欄」からそのメニュー名をカタカナで１文字づつ入力。すると、「入力した文字を表示する欄」に入力された文字列を表示。
（４）「←」ボタン押下で入力した文字を１文字づつ消去可能。
（５）また、「消去」ボタン押下で入力した文字列を一括消去可能。
（６）「未摂取」ボタン押下で「日付入力欄」及び「時刻入力欄」には食事を未摂取という情報を入力可能。
（７）「戻る」ボタン押下で画面Ｂに遷移する。
（８）「入力した文字を表示する欄」に２文字以上表示されている状態で「決定」ボタン押下が可能となり、「決定」ボタン押下で画面Ｅへ遷移する。
【０１３３】
（画面Ｅ）
画面Ｅは、単品メニュー選択画面である。画面下部に、入力された文字から単品メニュー候補をリスト表示させ選択可能な欄、そのリストをページ送り可能なボタンを配置している。選択メニューの量を入力可能なスライダー、その味の濃さを入力可能なスライダー、その熱さを入力可能なスライダー、そのメニューで確定させるための「決定」ボタンを配置している。画面左部に戻るボタン、画面右にサイドメニュー入力画面に遷移するためのボタンを表示している。画面上部に、単品メニューの名称、その写真、その摂取日及びカロリーとその日の総合摂取カロリーを表示。該当メニューの栄養素グラフを表示している。栄養素グラフには、カロリー、炭水化物、タンパク質、脂質、ビタミン、ミネラル、食物繊維の項目があり、各々の項目には、１日あたりの理想摂取量に対するその該当メニューだけでの相対量とその日の総合摂取量からの相対量で構成されるグラフを表示する。
（１）画面Ｄ-（７）より２文字以上の文字列を含む単品メニュー候補をリスト表示する。
（２）画面上部に画面Ｄ-（１）で入力された日付を表示し、該当メニュー名及びその写真を表示する。
（３）（１）から単品メニューを１つ選択後、そのメニューの量、味及び熱について各項目のスライダーより任意の位置を選択。
（４）（１）で選択した単品メニュー及び（３）から入力された情報により、栄養素グラフに、カロリー、炭水化物、タンパク質、脂質、ビタミン、ミネラル、食物繊維の１日あたりの理想摂取量に対するその該当メニューでの相対量とその日の総合摂取量からの相対量をグラフで表示する。
（５）画面上部に該当メニューのカロリー及び画面Ｄ-（１）で入力された日付に摂取した食事総合のカロリーを表示。
（６）「メニュー決定」ボタン押下で（１）〜（６）の内容で確定させ、画面Ｆ-１へ遷移する。
【０１３４】
（画面Ｆ-１）
画面Ｆ-１は、食歴表示画面１である。画面下部に、「メニュー」タブ、「体・現在」タブ、「体・将来」タブを配置している。「メインへ」ボタン、「新規メニュー」ボタン、「未入力日」ボタンを配置している。「メニュー」タブ内に、その日に摂ったメニューをリスト表示。そのリストをページ送り可能なボタンを配置している。同タブ内に、「前の日」ボタン、「次の日」ボタンを配置している。画面上部に、「（画面Ｅで表示した日付）の食歴」と表示。その日付の総合摂取カロリーを表示している。その下部にリストから選択したメニューの写真と栄養素グラフを表示している。栄養素グラフは画面Ｅの栄養素グラフに準ずる。
（１）メニュータブがアクティブになり、画面Ｅ-（３）で選択した単品メニュー及び画面Ｅ-（２）の日付に摂取した複数の単品メニューがメニュータブ内のリストに表示する。
（２）画面上部に「（画面Ｅ-（２）の日付）の食歴」と表示する。
（３）（１）のリストから任意の単品メニューを選択すると、画面上部に該当メニューの写真を表示する。
（４）栄養素グラフに、カロリー、炭水化物、タンパク質、脂質、ビタミン、ミネラル、食物繊維の１日あたりの理想摂取量に対するその該当メニューでの相対量と、画面Ｅ-（２）の日付の総合摂取量からの相対量をグラフで表示する。
（５）「前の日」ボタン押下で画面Ｅ-（２）の日付より前日に摂取した複数の単品メニューをリスト表示する。
（６）「次の日」ボタン押下で画面Ｅ-（２）の日付より次の日に摂取した複数の単品メニューをリスト表示する。
（７）「メインへ」ボタン押下で画面Ｂへ遷移する。
（８）「新規メニュー」ボタン押下で文字未入力状態の画面Ｄへ遷移する。その際、画面Ｅ-（２）の日付が「日付入力欄」に入力されている。
（９）「未入力日」ボタン押下で画面Ｇへ遷移する。
【０１３５】
画面Ｆ-２は、食歴表示画面２である。画面Ｆ-１の「体・現在」タブ内に、「累積疾患リスク」ボタン、「生体情報変移」ボタン、「起因データ」ボタンを配置している。画面上部に、「（画面Ｆ-１で表示した日付）までの状態」と表示している。
（１）画面Ｆ-１の「体・現在」タブ押下でタブ内に「累積疾患リスク」ボタン、「生体情報変移」ボタン、「起因データ」ボタンを表示する。
（２）画面上部に「（画面Ｅ-（２）の日付）までの状態」を表示する。
（３）「累積疾患リスク」ボタン押下で画面Ｈへ遷移する。
（４）「生体情報変移」ボタン押下で画面Ｉへ遷移する。
（５）「起因データ」ボタン押下で起因データを表示する画面へ遷移する。
【０１３６】
（画面Ｆ-３）
画面Ｆ-３は、食歴表示画面３である。画面Ｆ-１の「体・将来」タブ内に、「１年後」ボタン、「５年後」ボタン、「１０年後」ボタン、「２０年後」ボタン、「５０年後」ボタンを配置している。さらに「累積疾患リスク」ボタン、「生体情報変移」ボタン、「起因データ」ボタンを配置している。画面上部に、「これからの状態」と表示している。その下部に「現在までの食事内容を平均化したデータを、未来の食事内容として扱い、摂食暦DBとEBM-DB、パーソナルデータDBから未来の・疾病リスク・生体情報の変移をシミュレーションします」と表示している。
（１）画面Ｆ-１の「体・将来」タブ押下でタブ内に「１年後」ボタン、「５年後」ボタン、「１０年後」ボタン、「２０年後」ボタン、「５０年後」ボタンを表示する。
（２）同タブ内に「将来疾患リスク」ボタン、「生体情報変移」ボタン、「起因データ」ボタンを表示する。
（３）（１）のいづれかのボタンを選択後、（２）の各ボタン押下で現在から（１）の年を経た将来の状態を表示する。
（４）（３）の時に「将来疾患リスク」ボタン押下で画面Ｊへ遷移する。
（５）（３）の時に「生体情報変移」ボタン押下で（１）の年を経た将来の生体情報変移画面を表示する。
（６）（３）の時に「起因データ」ボタン押下で（１）の年を経た将来の起因データ画面を表示する。
【０１３７】
（画面Ｇ）
画面Ｇは、未入力日入力画面である。画面上部に、「未入力の日付と平均値を求める期間を指定してください」と表示している。画面下部に、日付入力欄、「過去６ヶ月」ボタン、「過去３ヶ月」ボタン、「過去１ヶ月」ボタン、「過去２週間」ボタン、「過去１週間」ボタン、「過去３日間」ボタン、「決定」ボタンを配置している。画面左部に「戻る」ボタンを配置している。
（１）画面上部に「未入力の日付と平均値を求める期間を指定してください」と表示する。
（２）日付入力欄から任意の日付を選択。
（３）「過去６ヶ月」ボタン、「過去３ヶ月」ボタン、「過去１ヶ月」ボタン、「過去２週間」ボタン、「過去１週間」ボタン、「過去３日間」ボタンのいずれかを選択し、「決定」ボタン押下で（２）で選択した日付の摂食データが入力され、画面Ｆ-１へ遷移する。
【０１３８】
（画面Ｈ）
画面Ｈは、累積疾患リスク表示画面である。画面下部に、累積疾患リスクとその倍率をリスト表示可能な欄、そのリストをページ送り可能なボタンを配置している。表示されている累積疾患リスクの数値の差異を修正可能な「ある」ボタンを配置している。画面上部に、選択された疾患名とその説明を表示している。画面左部に「戻る」ボタンを配置している。
（１）累積疾患リスクの疾患名と倍率が書かれたリストを表示する。
（２）（１）で表示された疾患名を選択することにより、画面上部にその疾患名とその説明を表示する。
（３）表示されている疾患名の倍率に差異の修正を可能な「ある」ボタンを表示する。
（４）（３）の「ある」ボタン押下で画面Ｋへ遷移する。
（５）「戻る」ボタン押下で画面Ｆ-２へ遷移する。
【０１３９】
（画面Ｉ）
画面Ｉは生体情報変移表示画面である。画面下部に、生体情報とその数値をリスト表示可能な欄、そのリストをページ送り可能なボタンを配置している。表示されている生体情報の数値の差異を修正可能な「ある」ボタンを配置している。画面上部に、選択された生体情報名とその説明を表示している。画面左部に「戻る」ボタンを配置している。
（１）予測体重、予測体脂肪率、予測視力を表示する。
（２）（１）で表示された予測体重、予測体脂肪率及び予測視力を選択することにより、画面上部にその名とその説明を表示する。
（３）表示されている予測数値に差異の修正を可能な「ある」ボタンを表示する。
（４）（３）の「ある」ボタン押下で画面Ｋへ遷移する。
（５）「戻る」ボタン押下で画面Ｆ-２へ遷移する。
【０１４０】
（画面Ｊ）
画面Ｊは将来疾患リスク表示画面である。画面下部に、疾患リスクとその倍率をリスト表示可能な欄、そのリストをページ送り可能なボタンを配置している。画面左部に「戻る」ボタンを配置している。画面上部に、選択された生体情報名とその説明を表示している。
（１）将来疾患リスクの疾患名と倍率が書かれたリストを表示する。
（２）（１）で表示された疾患名を選択することにより、画面上部にその疾患名とその説明を表示する。
（３）「戻る」ボタン押下で画面Ｆ-３へ遷移する。
【０１４１】
（画面Ｋ）
画面Ｋは差異修正画面である。画面上部に、「各項目の差異を修正してください」と表示している。画面下部に、累積疾患リスク名または生体情報名とその数値をリスト表示し、各々に数値を下げるボタン及び数値を上げるボタンを配置している。そのリストをページ送り可能なボタン、「修正完了」ボタンを配置している。画面左部に「戻る」ボタンを配置している。
（１）画面Ｈ-（１）及び画面Ｉ-（１）で表示されている数値の誤差を、数値を下げるボタン及び数値を上げるボタンで任意の数値に修正可能である。
（２）（１）で修正を終えた場合に「修正完了」ボタン押下で修正を確定させ画面Ｉへ遷移する。
（３）「戻る」ボタン押下で修正を確定させずに画面Ｉへ遷移する。
【図面の簡単な説明】
【０１４２】
【図１】本発明のシステムを用いたスタンドアローン型の装置の一例の全体構成図である。
【図２】本発明のシステムを用いたネットワーク利用型の装置の一例の全体構成図である。
【図３】本発明のシステムを用いたネットワーク利用型の装置のその他の例の全体構成図である。
【図４】前記スタンドアローン型の装置の機器構成の一例を示すブロック図である。
【図５】前記ネットワーク利用型の装置の機器構成の一例を示すブロック図である。
【図６】前記ネットワーク利用型の装置の機器構成のその他の例を示すブロック図である。
【図７Ａ】本発明のシステムを実施するためのフローチャートの一例である。
【図７Ｂ】本発明のシステムを実施するためのフローチャートの一例である。
【図７Ｃ】本発明のシステムを実施するためのフローチャートの一例である。
【図８Ａ】本発明のネットワーク型システムを実施するためのフローチャートの一例である。
【図８Ｂ】本発明のネットワーク型システムを実施するためのフローチャートの一例である。
【図８Ｃ】本発明のネットワーク型システムを実施するためのフローチャートの一例である。
【図９Ａ】本発明のシステムにおける個人生体情報入力の一例を示すフローチャートである。
【図９Ｂ】本発明のシステムにおける個人生体情報入力の一例を示すフローチャートである。
【図９Ｃ】本発明のシステムにおける個人生体情報入力の一例を示すフローチャートである。
【図１０】本発明のシステムにおける未入力食事の穴埋めの一例を示すフローチャートである。
【図１１Ａ】本発明のシステムにおける日々の個人生体情報訂正の一例を示すフローチャートである。
【図１１Ｂ】本発明のシステムにおける日々の個人生体情報訂正の一例を示すフローチャートである。
【図１２】本発明のシステムにおける推奨メニューの提示の一例を示すフローチャートである。
【図１３Ａ】本発明のシステムにおけるペン入力装置による摂食入力の一例を示すフローチャートである。
【図１３Ｂ】本発明のシステムにおけるペン入力装置による摂食入力の一例を示すフローチャートである。
【図１３Ｃ】本発明のシステムにおけるペン入力装置による摂食入力の一例を示すフローチャートである。
【図１４Ａ】本発明のシステムおけるキーボード入力装置による摂食入力の一例を示すフローチャートである。
【図１４Ｂ】本発明のシステムおけるキーボード入力装置による摂食入力の一例を示すフローチャートである。
【図１４Ｃ】本発明のシステムおけるキーボード入力装置による摂食入力の一例を示すフローチャートである。
【図１５Ａ】本発明のシステムおけるソフトウエアキーボード入力装置による摂食入力の一例を示すフローチャートである。
【図１５Ｂ】本発明のシステムおけるソフトウエアキーボード入力装置による摂食入力の一例を示すフローチャートである。
【図１５Ｃ】本発明のシステムおけるソフトウエアキーボード入力装置による摂食入力の一例を示すフローチャートである。
【図１６Ａ】本発明のシステムおける音声認識入力装置による摂食入力の一例を示すフローチャートである。
【図１６Ｂ】本発明のシステムおける音声認識入力装置による摂食入力の一例を示すフローチャートである。
【図１６Ｃ】本発明のシステムおける音声認識入力装置による摂食入力の一例を示すフローチャートである。
【図１７Ａ】本発明のシステムおけるバーコード入力装置による摂食入力の一例を示すフローチャートである。
【図１７Ｂ】本発明のシステムおけるバーコード入力装置による摂食入力の一例を示すフローチャートである。
【図１８Ａ】本発明のシステムおけるＯＣＲ入力装置による摂食入力の一例を示すフローチャートである。
【図１８Ｂ】本発明のシステムおけるＯＣＲ入力装置による摂食入力の一例を示すフローチャートである。
【図１９Ａ】本発明のシステムおけるＩＣタグ入力装置による摂食入力の一例を示すフローチャートである。
【図１９Ｂ】本発明のシステムおけるＩＣタグ入力装置による摂食入力の一例を示すフローチャートである。
【図２０Ａ】本発明のシステムおける写真認識入力装置による摂食入力の一例を示すフローチャートである。
【図２０Ｂ】本発明のシステムおける写真認識入力装置による摂食入力の一例を示すフローチャートである。
【図２１Ａ】本発明のシステムおける前記とは別の音声認識入力装置による摂食入力の一例を示すフローチャートである。
【図２１Ｂ】本発明のシステムおける前記とは別の音声認識入力装置による摂食入力の一例を示すフローチャートである。
【図２２Ａ】本発明のシステムおける前記とは別の写真認識入力装置による摂食入力の一例を示すフローチャートである。
【図２２Ｂ】本発明のシステムおける前記とは別の写真認識入力装置による摂食入力の一例を示すフローチャートである。
【図２３Ａ】本発明のシステムおける食事ジャンルによる食品の絞込みの一例を示すフローチャートである。
【図２３Ｂ】本発明のシステムおける食事ジャンルによる食品の絞込みの一例を示すフローチャートである。
【図２４Ａ】本発明のシステムおける店舗指定による食品の絞込みの一例を示すフローチャートである。
【図２４Ｂ】本発明のシステムおける店舗指定による食品の絞込みの一例を示すフローチャートである。
【図２５】本発明のシステムにおける疾病リスク（高血圧）計算の一例を示すフローチャートである。
【図２６Ａ】本発明のシステムおける個人生体情報変化の予測とＥＢＭ−ＤＢの更新の一例を示すフローチャートである。
【図２６Ｂ】本発明のシステムおける個人生体情報変化の予測とＥＢＭ−ＤＢの更新の一例を示すフローチャートである。
【図２７】本発明のシステムにおける画面構成の一例の一部を示す画面構成図である。
【図２８】本発明のシステムにおける画面構成の一例のその他の部分を示す画面構成図である。
【図２９】本発明のシステムにおける画面構成の一例のさらにその他の部分を示す画面構成図である。
【図３０】本発明のシステムにおける画面構成の一例のさらにその他の部分を示す画面構成図である。
【符号の説明】
【０１４３】
１  健康状態予測システム
２  健康状態予測入出力
３  健康状態予測計算
【図１】
2008257293.tif 000003
【図２】
2008257293.tif 000004
【図３】
2008257293.tif 000005
【図４】
2008257293.tif 000006
【図５】
2008257293.tif 000007
【図６】
2008257293.tif 000008
【図７Ａ】
2008257293.tif 000009
【図７Ｂ】
2008257293.tif 000010
【図７Ｃ】
2008257293.tif 000011
【図８Ａ】
2008257293.tif 000012
【図８Ｂ】
2008257293.tif 000013
【図８Ｃ】
2008257293.tif 000014
【図９Ａ】
2008257293.tif 000015
【図９Ｂ】
2008257293.tif 000016
【図９Ｃ】
2008257293.tif 000017
【図１０】
2008257293.tif 000018
【図１１Ａ】
2008257293.tif 000019
【図１１Ｂ】
2008257293.tif 000020
【図１２】
2008257293.tif 000021
【図１３Ａ】
2008257293.tif 000022
【図１３Ｂ】
2008257293.tif 000023
【図１３Ｃ】
2008257293.tif 000024
【図１４Ａ】
2008257293.tif 000025
【図１４Ｂ】
2008257293.tif 000026
【図１４Ｃ】
2008257293.tif 000027
【図１５Ａ】
2008257293.tif 000028
【図１５Ｂ】
2008257293.tif 000029
【図１５Ｃ】
2008257293.tif 000030
【図１６Ａ】
2008257293.tif 000031
【図１６Ｂ】
2008257293.tif 000032
【図１６Ｃ】
2008257293.tif 000033
【図１７Ａ】
2008257293.tif 000034
【図１７Ｂ】
2008257293.tif 000035
【図１８Ａ】
2008257293.tif 000036
【図１８Ｂ】
2008257293.tif 000037
【図１９Ａ】
2008257293.tif 000038
【図１９Ｂ】
2008257293.tif 000039
【図２０Ａ】
2008257293.tif 000040
【図２０Ｂ】
2008257293.tif 000041
【図２１Ａ】
2008257293.tif 000042
【図２１Ｂ】
2008257293.tif 000043
【図２２Ａ】
2008257293.tif 000044
【図２２Ｂ】
2008257293.tif 000045
【図２３Ａ】
2008257293.tif 000046
【図２３Ｂ】
2008257293.tif 000047
【図２４Ａ】
2008257293.tif 000048
【図２４Ｂ】
2008257293.tif 000049
【図２５】
2008257293.tif 000050
【図２６Ａ】
2008257293.tif 000051
【図２６Ｂ】
2008257293.tif 000052
【図２７】
2008257293.tif 000053
【図２８】
2008257293.tif 000054
【図２９】
2008257293.tif 000055
【図３０】
2008257293.tif 000056